(57)【要約】  無線デバイスは、エリア更新報告を処理する。無線デバイスは、当該無線デバイスに対して構成された無線ネットワークエリア（ＲＮＡ）に属していないセルに当該無線デバイスが進入したことを検出したことに応答して、無線ネットワークエリア更新（ＲＮＡＵ）を開始（１５０２）する。無線デバイスは、当該無線デバイスによるＲＮＡＵの実行の試みが拒否されたことを示すメッセージを無線ネットワークから受信（１５０４）する。メッセージは、待機時間値が適用可能であることを示す表示を含むかまたはそれを伴う。メッセージに応答して、無線デバイスは、待機時間値に拒否待機タイマを設定（１５０６）し、拒否待機タイマが満了するとＲＮＡＵを実行（１５０８）する。いくつかの実施形態では、無線デバイスは、メッセージに応答して、待機時間値に周期的ＲＮＡＵタイマを設定し、拒否待機タイマおよび周期的ＲＮＡＵタイマが満了するとＲＮＡＵを実行する。【選択図】図１５
2021522707.tif 000002
【特許請求の範囲】
【請求項１】
無線ネットワーク内で動作する無線デバイスにおいて、エリア更新報告を処理するための方法であって、該方法は、
前記無線デバイスに対して構成された無線ネットワークエリア（ＲＮＡ）に属していないセルに該無線デバイスが進入したことを検出することに応答して、無線ネットワークエリア更新（ＲＮＡＵ）を開始すること（１５０２）と、
前記無線デバイスの前記ＲＮＡＵの実行の試行が拒否されたことを示すメッセージを前記無線ネットワークから受信すること（１５０４）であって、前記メッセージは待機時間値が適用可能であることを示すインジケーションを含むかまたは伴う、前記受信すること（１５０４）と、
前記メッセージに応答して、拒否待機タイマを前記待機時間値に設定すること（１５０６）と、
前記拒否待機タイマが満了すると前記ＲＮＡＵを実行すること（１５０８）と、
を含む方法。
【請求項２】
前記無線デバイスは、無線リソース接続（ＲＲＣ）インアクティブ状態にあり、
ＲＮＡＵを前記開始すること（１５０２）は、ＲＲＣ接続を再開するための要求を送信することを含む
請求項１に記載の方法。
【請求項３】
前記メッセージは、ＲＲＣＲｅｓｕｍｅＲｅｊｅｃｔメッセージまたはＲＲＣＲｅｌｅａｓｅメッセージを含む
請求項２に記載の方法。
【請求項４】
前記拒否待機タイマは、第三世代パートナーシッププロジェクト（３ＧＰＰ）により指定されたＴ３０２タイマである
請求項１乃至３の何れか１項に記載の方法。
【請求項５】
前記方法は、前記メッセージに応答して、周期的ＲＮＡＵタイマを前記待機時間値に設定することをさらに含み、
前記方法は、前記拒否待機タイマおよび前記周期的ＲＮＡＵタイマが満了すると前記ＲＮＡＵを実行すること（１５０８）を含む
請求項１乃至４の何れか１項に記載の方法。
【請求項６】
前記周期的ＲＮＡＵタイマは、３ＧＰＰにより指定されたＴ３８０タイマである
請求項５に記載の方法。
【請求項７】
前記周期的ＲＮＡＵタイマを前記待機時間値に設定すること（１５０６）は、前記周期的ＲＮＡＵタイマが前記待機時間値に設定されるという前記メッセージ内の指示に応答している
請求項５または６に記載の方法。
【請求項８】
前記拒否待機タイマを実行している間、保留通知として前記ＲＮＡＵを追跡することをさらに含む
請求項１乃至７の何れか１項に記載の方法。
【請求項９】
無線ネットワーク内で動作する無線デバイスにおいて、エリア更新報告を処理するための方法であって、該方法は、
前記無線デバイスに対して構成された無線ネットワークエリア（ＲＮＡ）に属しておらずかつ前記無線デバイスに対して構成されたトラッキングエリアに属していないセルに該無線デバイスが進入したことを検出することに応答して、組み合わされた無線ネットワークエリア更新（ＲＮＡＵ）およびトラッキングエリア更新（ＴＡＵ）を開始すること（１６０２）と、
前記無線デバイスの前記組み合わされたＲＮＡＵおよびＴＡＵの実行の試行が拒否されたことを示すメッセージを前記無線ネットワークから受信すること（１６０４）であって、前記メッセージは待機時間値が適用可能であることを示すインジケーションを含むかまたは伴う、前記受信すること（１６０４）と、
前記メッセージに応答して、拒否待機タイマを前記待機時間値に設定すること（１６０６）と、
続いて、前記拒否待機タイマの満了の前にセル再選択を実行すること（１６０８）と、
前記セル再選択に続いて、直ちにＴＡＵを実行すること（１６１０）と、
を含む方法。
【請求項１０】
前記メッセージに応答して、周期的ＲＮＡＵタイマを再起動することをさらに含み、前記セル再選択は前記周期的ＲＮＡＵタイマの満了の前である
請求項９に記載の方法。
【請求項１１】
無線ネットワーク内で動作する無線デバイスにおいて、エリア更新報告を処理するための方法であって、該方法は、
前記無線デバイスに対して構成された無線ネットワークエリア（ＲＮＡ）に属していないセルに該無線デバイスが進入したことを検出することに応答して、無線ネットワークエリア更新（ＲＮＡＵ）を開始すること（１７０２）と、
前記無線デバイスの前記ＲＮＡＵの実行の試行が拒否されたことを示すメッセージを前記無線ネットワークから受信すること（１７０４）であって、前記メッセージは待機時間値が適用可能であることを示すインジケーションを含むかまたは伴う、前記受信すること（１７０４）と、
前記メッセージに応答して、拒否待機タイマを前記待機時間値に設定し（１７０６）、前記無線デバイスのＲＲＣ層に前記拒否を通知することと、
を含む方法。
【請求項１２】
前記方法は、前記メッセージに応答して、周期的ＲＮＡＵタイマをデフォルト値に設定することをさらに含む
請求項１１に記載の方法。
【請求項１３】
無線ネットワーク内で動作する無線デバイスにおいて、エリア更新報告を処理するための方法であって、該方法は、
前記無線デバイスに対して構成された無線ネットワークエリア（ＲＮＡ）に属していないセルに該無線デバイスが進入したことを検出することに応答して、無線ネットワークエリア更新（ＲＮＡＵ）を開始すること（１８０２）と、
前記無線デバイスの前記ＲＮＡＵの実行の試行が拒否されたことを示すメッセージを前記無線ネットワークから受信すること（１８０４）であって、前記メッセージは待機時間値が適用可能であることを示すインジケーションを含むかまたは伴う、前記受信すること（１８０４）と、
前記メッセージに応答して、許可されるとすぐにおよび／または特定の条件が満たされるとすぐに前記拒否されたＲＮＡＵが再び試行されるようにするために、前記拒否されたＲＮＡＵを保留通知として追跡すること（１８０６）と、
方法。
【請求項１４】
拒否待機タイマの満了に応答して、前記拒否されたＲＮＡＵを再び試行することをさらに含む
請求項１３に記載の方法。
【請求項１５】
前記拒否されたＲＮＡＵを試行することは、前記拒否待機タイマが満了したときに前記無線デバイスに対して構成されたＲＮＡの外側のセル上に前記無線デバイスがまだキャンプしていることを決定することにさらに応答している
請求項１４に記載の方法。
【請求項１６】
前記拒否されたＲＮＡＵを試行することは、前記拒否されたＲＮＡＵが組み合わされたＲＮＡＵおよびトラッキングエリア更新（ＴＡＵ）であると決定することにさらに応答している
請求項１４または１５に記載の方法。
【請求項１７】
セル再選択に応答して、前記拒否されたＲＮＡＵを試行することをさらに含む
請求項１３に記載の方法。
【請求項１８】
前記拒否されたＲＮＡＵを試行することは、前記セル再選択が前記無線デバイスに対して構成された前記ＲＮＡＵ内に無いセルへのものであると決定することにさらに応答している
請求項１７に記載の方法。
【請求項１９】
前記拒否されたＲＮＡＵを試行することは、前記拒否されたＲＮＡＵが組み合わされたＲＮＡＵおよびトラッキングエリア更新（ＴＡＵ）であると決定することにさらに応答している
請求項１７または１８に記載の方法。
【請求項２０】
前記拒否されたＲＮＡＵを再び試行することは、前記無線ネットワークへのＲＲＣ接続を再開するための要求を送信することを含み、ＲＲＣ接続を再開するための前記要求は、ＲｅｓｕｍｅＲＲＣＣｏｎｎｅｃｔｉｏｎメッセージが保留通知に対応していることを示す
請求項１４乃至１９の何れか１項に記載の方法。
【請求項２１】
前記無線デバイスは、無線リソース接続（ＲＲＣ）インアクティブ状態にあり、
ＲＮＡＵを前記開始することは、ＲＲＣ接続を再開するための要求を送信することを含む
請求項１３乃至２０の何れか１項に記載の方法。
【請求項２２】
前記メッセージは、ＲＲＣＲｅｓｕｍｅＲｅｊｅｃｔメッセージまたはＲＲＣＲｅｌｅａｓｅメッセージを含む
請求項２１に記載の方法。
【請求項２３】
前記メッセージの受信に続いて、格納された構成に従って無線アクセスネットワーク（ＲＡＮ）ページングの監視を継続することをさらに含む
請求項１乃至２２の何れか１項に記載の方法。
【請求項２４】
前記メッセージの受信に続いて、コアネットワーク（ＣＮ）ページングのみを監視することをさらに含む
請求項１乃至２２の何れか１項に記載の方法。
【請求項２５】
前記方法は、前記メッセージに関する情報を格納することをさらに含み、該格納された情報は、
受信された拒否メッセージの数を示すインクリメントされたカウンタ値、
前記メッセージを受信したときの前記無線デバイスの位置を示す情報、
のうちの１つ以上を含む
請求項１乃至２４の何れか１項に記載の方法。
【請求項２６】
前記位置を示す情報は、
物理セル識別子、
セル識別子、
グローバルセル識別子、
公衆陸上移動体ネットワーク（ＰＬＭＮ）識別子、
のうちの１つ以上を含む
請求項２５に記載の方法。
【請求項２７】
続いて、接続状態に入ると前記格納された情報を前記無線ネットワークに報告することをさらに含む
請求項２５または２６に記載の方法。
【請求項２８】
前記方法は、
所定回数のＲＮＡＵ試行の後にネットワーク拒否が行われたと決定することと、
前記ネットワークへのアクセスが再び許可されると、ネットワークアクセス層（ＮＡＳ）回復を実行することと、
をさらに含む
請求項１乃至２７の何れか１項に記載の方法。
【請求項２９】
前記方法は、
所定回数のＲＮＡＵ試行の後にネットワーク拒否が行われたと決定することと、
前記ネットワークへのアクセスが再び許可されると、周波数間セル再選択またはＲＡＴ間セル再選択を実行し、周期的ＲＮＡＵを試行することと、
をさらに含む
請求項１乃至２７の何れか１項に記載の方法。
【請求項３０】
請求項１乃至２９の何れか１項に記載の方法を実行するのに適合した、無線デバイス。
【請求項３１】
送受信機回路と該送受信機回路に動作可能に関連付けられた処理回路とを有し、請求項１乃至２９の何れか１項に記載の方法を実行するように構成された、無線デバイス。
【請求項３２】
少なくとも１つの処理回路により実行されたとき、該少なくとも１つの処理回路に、請求項１乃至２９の何れか１項に記載の方法を実行させる命令を含む、コンピュータプログラム。
【請求項３３】
請求項３２に記載のコンピュータプログラムを含むキャリアであって、該キャリアは、電気信号、光信号、無線信号、またはコンピュータ可読記憶媒体のうちの１つである、キャリア。
【発明の詳細な説明】
【背景技術】
【０００１】
ロングタームエボリューション（ＬＴＥ）は、第三世代パートナーシッププロジェクト（３ＧＰＰ）内で開発され、リリース８および９で最初に標準化されたいわゆる第四世代（４Ｇ）無線アクセス技術の包括的な用語であり、進化型ＵＴＲＡＮ（Ｅ−ＵＴＲＡＮ）としても知られている。ＬＴＥは、免許されているさまざまな周波数帯を対象としており、一般的にＳＡＥ（システムアーキテクチャエボリューション）（ＥＰＣ（進化型パケットコア）ネットワークを含む）と呼ばれる無線以外の部分の改良を伴っている。ＬＴＥは、３ＧＰＰとそのワーキンググループ（ＷＧ）（無線アクセスネットワーク（ＲＡＮ）ＷＧを含む）、およびサブワーキンググループ（ＲＡＮ１、ＲＡＮ２など）との標準化プロセスに従って開発された後続のリリースを通じて、進化を続けている。
【０００２】
ＬＴＥリリース１０（Ｒｅｌ−１０）では、２０ＭＨｚを超える帯域幅をサポートしている。Ｒｅｌ−１０の重要な要件の１つは、ＬＴＥリリース８との下位互換性を保証することである。これには、スペクトルの互換性も含まれるべきであろう。そのため、広帯域のＬＴＥＲｅｌ−１０キャリア（例えば、２０ＭＨｚよりも広い帯域幅）は、ＬＴＥＲｅｌ−８（「レガシー」）端末に複数のキャリアとして表示される必要がある。このような各キャリアは、コンポーネントキャリア（ＣＣ）と呼ばれる。レガシー端末のためにも広いキャリアを効率的に使用するために、レガシー端末は広帯域ＬＴＥＲｅｌ−１０キャリアのすべての部分でスケジュールすることができる。これを実現するための例示的な方法の１つは、キャリアアグリゲーション（ＣＡ）を使用することで、Ｒｅｌ−１０端末は複数のＣＣを受信することができる。同様に、ＬＴＥＲｅｌ−１１の拡張機能の１つは、強化された物理ダウンリンク制御チャネル（ｅＰＤＣＣＨ）である。これは、容量の増大と制御チャネルリソースの空間的再利用の改善、セル間干渉調整（ＩＣＩＣ）の改善、および制御チャネルのアンテナビームフォーミングおよび／または送信ダイバーシティのサポートを目的としている。
【０００３】
ＬＴＥおよびＳＡＥからなるネットワークの全体的な例示的なアーキテクチャが図１に示されている。Ｅ−ＵＴＲＡＮ１００は、ｅＮＢ１０５、１１０、および１１５などの１つまたは複数の進化型ノードＢ（ｅＮＢ）と、ＵＥ１２０などの１つまたは複数のユーザ装置（ＵＥ）を含む。３ＧＰＰ規格内で使用されるように、「ユーザ装置」または「ＵＥ」は、３ＧＰＰ規格準拠のネットワーク機器（第３世代（「３Ｇ」）および第２世代（「２Ｇ」）の３ＧＰＰ無線アクセスネットワークが一般的に知られているように、Ｅ−ＵＴＲＡＮおよび／またはＵＴＲＡＮおよび／またはＧＥＲＡＮを含む）と通信することが可能な任意の無線通信装置（例えば、スマートフォンまたはコンピューティング装置）を意味する。
【０００４】
３ＧＰＰによって規定されるように、Ｅ−ＵＴＲＡＮ１００は、無線ベアラ制御、無線アドミッション制御、無線モビリティ制御、スケジューリング、およびアップリンクおよびダウンリンクにおけるＵＥへのリソースの動的割り当て、ならびにＵＥとの通信のセキュリティを含む、アクセスネットワーク内のすべての無線関連機能を担当する。これらの機能は、ｅＮＢ１０５、１１０、１１５などのｅＮＢに存在する。Ｅ−ＵＴＲＡＮ内のｅＮＢは、図１に示すように、Ｘ１インタフェースを介して相互に通信する。ｅＮＢはまた、ＥＰＣへのＥ−ＵＴＲＡＮインタフェース、具体的には、図１のＭＭＥ／Ｓ−ＧＷ１３４および１３８としてまとめて示されているモビリティ管理エンティティ（ＭＭＥ）およびサービングゲートウェイ（ＳＧＷ）へのＳ１インタフェースを担当している。一般的に、ＭＭＥ／Ｓ−ＧＷは、ＵＥの全体的な制御とＵＥとＥＰＣの他の部分との間のデータフローの両方を処理する。より具体的には、ＭＭＥはＵＥとＥＰＣ間のシグナリングプロトコルを処理し、これは非アクセス層（ＮＡＳ）プロトコルとして知られている。Ｓ−ＧＷは、ＵＥとＥＰＣとの間のすべてのインターネットプロコトル（ＩＰ）データパケットを処理し、ＵＥがｅＮＢ１０５、１１０、１１５などのｅＮＢ間を移動する際に、データベアラのためのローカルモビリティアンカーとして機能する。
【０００５】
図２Ａは、構成エンティティであるＵＥ、Ｅ−ＵＴＲＡＮ、およびＥＰＣと、アクセス層（ＡＳ）および非アクセス層（ＮＡＳ）への高レベル機能分割との観点から、例示的なＬＴＥアーキテクチャの高レベルブロック図を示している。図１はまた、２つの特定のインタフェースポイント、すなわち、Ｕｕ（ＵＥ／Ｅ−ＵＴＲＡＮ無線インタフェース）およびＳ１（Ｅ−ＵＴＲＡＮ／ＥＰＣインタフェース）を示しており、それぞれが特定のプロトコルセット、すなわち、無線プロトコルおよびＳ１プロトコルを使用している。２つのプロトコルのそれぞれは、ユーザプレーン（または「Ｕプレーン」）と制御プレーン（または「Ｃプレーン」）のプロトコル機能にさらにセグメント化することができる。Ｕｕインタフェースでは、Ｕプレーンはユーザ情報（例えば、データパケット）を搬送し、ＣプレーンはＵＥとＥ−ＵＴＲＡＮとの間の制御情報を搬送する。
【０００６】
図２Ｂは、物理層（ＰＨＹ）、媒体アクセス制御層（ＭＡＣ）、無線リンク制御層（ＲＬＣ）、パケットデータコンバージェンスプロトコル層（ＰＤＣＰ）、および無線リソース制御層（ＲＲＣ）から構成されるＵｕインタフェース上の例示的なＣプレーンプロトコルスタックのブロック図を示している。ＰＨＹ層は、ＬＴＥ無線インタフェース上のトランスポートチャネルを介してデータを転送するために、どのような特性をどのように使用するかに関係している。ＭＡＣ層は、論理チャネル上でデータ転送サービスを提供し、論理チャネルをＰＨＹトランスポートチャネルにマッピングし、ＰＨＹリソースを再割り当てして、これらのサービスをサポートする。ＲＬＣ層は、上位層との間で転送されるデータのエラー検出および／または訂正、連結、セグメンテーション、および再アセンブル、並び替えを提供する。ＰＨＹ、ＭＡＣ、ＲＬＣ層は、ＵプレーンとＣプレーンの両方で同一の機能を果たす。ＰＤＣＰ層は、ＵプレーンとＣプレーンの両方に暗号化／復号化と完全性保護を提供し、Ｕプレーンにはヘッダ圧縮などの他の機能を提供する。
【０００７】
図２Ｃは、ＰＨＹの観点から見た例示的なＬＴＥ無線インタフェースプロトコルアーキテクチャのブロック図である。様々なレイヤ（層）間のインタフェースは、図２Ｃの楕円で示されたサービスアクセスポイント（ＳＡＰ）によって提供される。ＰＨＹ層は、上述のＭＡＣおよびＲＲＣプロトコル層とのインタフェースを提供する。ＭＡＣは、転送される情報のタイプによって特徴づけられる、異なる論理チャネルをＲＬＣプロトコル層に提供する（上述している）。このトランスポートサービスを提供する際に、ＰＨＹは、エラー検出及び訂正；コード化されたトランスポートチャネルの物理チャネルへのレートマッチング及びマッピング；物理チャネルの電力重み付け、変調及び復調；送信ダイバーシティ、ビームフォーミング多入力多出力（ＭＩＭＯ）アンテナ処理；及びＲＲＣ等の上位層への無線測定値の提供を含む様々な機能を実行する。
【０００８】
ＬＴＥ＿ＰＨＹによって提供されるダウンリンク（すなわち、ｅＮＢからＵＥ）物理チャネルには、物理ダウンリンク共有チャネル（ＰＤＳＣＨ）、物理マルチキャストチャネル（ＰＭＣＨ）、物理ダウンリンク制御チャネル（ＰＤＣＣＨ）、リレー物理ダウンリンク制御チャネル（Ｒ−ＰＤＣＣＨ）、物理ブロードキャストチャネル（ＰＢＣＨ）、物理制御フォーマット指示チャネル（ＰＣＦＩＣＨ）、および物理ハイブリッドＡＲＱ指示チャネル（ＰＨＩＣＨ）が含まれる。さらに、ＬＴＥ＿ＰＨＹダウンリンクは、様々な参照信号、同期信号、および探索信号を含む。
【０００９】
ＬＴＥ＿ＰＨＹによって提供されるアップリンク（すなわち、ＵＥからｅＮＢ）物理チャネルには、物理アップリンク共有チャネル（ＰＵＳＣＨ）、物理アップリンク制御チャネル（ＰＵＣＣＨ）、および物理ランダムアクセスチャネル（ＰＲＡＣＨ）が含まれる。さらに、ＬＴＥ＿ＰＨＹアップリンクは、関連するＰＵＣＣＨまたはＰＵＳＣＨの受信においてｅＮＢを支援するために送信される復調参照信号（ＤＭ−ＲＳ）；および任意のアップリンクチャネルに関連付けられていないサウンディング参照信号（ＳＲＳ）を含む様々な参照信号を含む。
【００１０】
ＬＴＥ＿ＰＨＹの多元接続方式は、ダウンリンクではサイクリックプレフィックス（ＣＰ）を持つ直交周波数分割多重化（ＯＦＤＭ）に基づいており、アップリンクではサイクリックプレフィックスを持つシングルキャリア周波数分割多元接続（ＳＣ−ＦＤＭＡ）に基づいている。ペアおよび非ペアのスペクトルでの伝送をサポートするために、ＬＴＥ＿ＰＨＹは、周波数分割複信（ＦＤＤ）（全二重および半二重動作の両方を含む）と時分割複信（ＴＤＤ）の両方をサポートしている。図３Ａは、ＬＴＥ＿ＦＤＤダウンリンク（ＤＬ）動作に使用される例示的な無線フレーム構造（「タイプ１」）を示している。ＤＬ無線フレームは、１０ミリ秒の固定継続時間を持ち、０〜１９とラベル付けされた２０個のスロットで構成され、それぞれが０．５ミリ秒の固定継続時間を有する。１−ｍｓのサブフレームは、２つの連続したスロットで構成され、サブフレームはサブフレームｉはスロット２ｉと２ｉ＋１で構成される。各例示的なＦＤＤ＿ＤＬスロットは、ＮＤＬｓｙｍｂ個のＯＦＤＭシンボルで構成され、それぞれがＮｓｃ個のＯＦＤＭサブキャリアを含む。ＮＤＬｓｙｍｂの例示的な値は、１５ｋＨｚのサブキャリア帯域幅に対して７（通常のＣＰの場合）または６（拡張長ＣＰの場合）であり得る。Ｎｓｃの値は、利用可能なチャネル帯域幅に基づいて構成可能である。当業者は、ＯＦＤＭの原理に精通しているので、本明細書では、さらなる詳細な説明は省略する。
【００１１】
図３Ａに示すように、特定のシンボル内の特定のサブキャリアの組み合わせは、リソース要素（ＲＥ）として知られている。各ＲＥは、そのＲＥに使用される変調および／またはビットマッピングコンスタレーションのタイプに応じて、特定の数のビットを送信するために使用される。例えば、一部のＲＥはＱＰＳＫ変調を使用して２ビットを伝送し、他のＲＥは１６−ＱＡＭまたは６４−ＱＡＭを使用してそれぞれ４ビットまたは６ビットを伝送することができる。ＬＴＥ＿ＰＨＹの無線リソースは、物理リソースブロック（ＰＲＢ）でも定義される。ＰＲＢは、スロット（すなわち、ＮＤＬｓｙｍｂ個のシンボル）の持続時間にわたってＮＲＢｓｃ個のサブキャリアをスパンするもので、ＮＲＢｓｃは通常、１２（１５ｋＨｚのサブキャリア帯域幅）または２４（７．５ｋＨｚの帯域幅）のいずれかである。サブフレーム全体の間に同じＮＲＢｓｃ個のサブキャリアにまたがるＰＲＢ（すなわち、２ＤＬｓｙｍｂ個のシンボル）は、ＰＲＢペアとして知られている。したがって、ＬＴＥ＿ＰＨＹ＿ＤＬのサブフレームで利用可能なリソースは、ＮＤＬＲＢ個のＰＲＢペアを含み、それぞれが２ＮＤＬｓｙｍｂ・ＮＲＢｓｃ個のＲＥを含む。通常のＣＰと１５−ＫＨｚのサブキャリア帯域幅の場合、ＰＲＢペアは１６８個のＲＥを含む。
【００１２】
図３Ｂは、図３Ａに示す例示的なＦＤＤ＿ＤＬ無線フレームと同様の方法で構成された例示的なＬＴＥ＿ＦＤＤアップリンク（ＵＬ）無線フレームを示している。上記のＤＬの説明と一致する用語を使用して、各ＵＬスロットは、ＮＵＬｓｙｍｂ個のＯＦＤＭシンボルで構成され、それぞれがＮｓｃ個のＯＦＤＭサブキャリアを含む。
【００１３】
上述したように、ＬＴＥ＿ＰＨＹは、様々なＤＬおよびＵＬ物理チャネルを、それぞれ図３Ａおよび図３Ｂに示すリソースにマッピングする。例えば、ＰＨＩＣＨは、ＵＥによるＵＬ送信のためのＨＡＲＱフィードバック（例えば、ＡＣＫ／ＮＡＫ）を搬送する。同様に、ＰＤＣＣＨは、スケジューリング割り当て、ＵＬチャネルのためのチャネル品質フィードバック（例えば、ＣＳＩ）、および他の制御情報を搬送する。同様に、ＰＵＣＣＨは、スケジューリング要求、ダウンリンクチャネルのためのＣＳＩ、ｅＮＢのＤＬ伝送のためのＨＡＲＱフィードバック、および他の制御情報などのアップリンク制御情報を搬送する。ＰＤＣＣＨおよびＰＵＣＣＨの両方とも、１つまたは複数の連続した制御チャネル要素（ＣＣＥ）のアグリゲーション上で送信することができ、ＣＣＥは、複数のＲＥを含むリソース要素グループ（ＲＥＧ）に基づいて物理リソースにマッピングされる。例えば、ＣＣＥは９個のＲＥＧを含み、各ＲＥＧは４個のＲＥを含む。
【００１４】
ＬＴＥは主にユーザ間通信用に設計されていたが、５Ｇ（「ＮＲ」とも呼ばれる）セルラーネットワークは、高いシングルユーザ・データレート（例えば、１Ｇｂ／ｓ）と、周波数帯域幅を共有する多くの異なるデバイスからの短いバースト的な伝送を含む大規模なマシンツーマシン通信の両方をサポートすることが想定されている。５Ｇ無線規格（「ニューラジオ」または「ＮＲ」とも呼ばれる）は、現在、ｅＭＢＢ（enhanced Mobile Broad Band）およびＵＲＬＬＣ（Ultra-Releliable Low Latency Communication）を含む幅広いデータサービスを対象としている。これらのサービスは、異なる要件や目的を持ち得る。例えば、ＵＲＬＬＣは、エラー確率が１０−５以下、エンドツーエンドレイテンシが１ｍｓ以下など、非常に厳しいエラー・レイテンシ要件を有するデータサービスを提供することを目的としている。ｅＭＢＢの場合、レイテンシとエラー確率の要件はそれほど厳しくないが、サポートされるピークレートやスペクトル効率の要件は高くなる。
【００１５】
図４は、次世代ＲＡＮ（ＮＧ−ＲＡＮ）と５Ｇコア（５ＧＣ）で構成される５Ｇネットワークアーキテクチャのハイレベルビューを示している。ＮＧ−ＲＡＮは、１つ以上のＮＧインタフェースを介して５ＧＣに接続されたｇノードＢ（ｇＮＢ）のセットを構成することができ、ｇＮＢは、１つ以上のＸｎインタフェースを介して互いに接続され得る。ｇＮＢの各々は、周波数分割複信（ＦＤＤ）、時分割複信（ＴＤＤ）、またはそれらの組み合わせをサポートすることができる。
【００１６】
図４に示すＮＧ＿ＲＡＮ論理ノード（および３ＧＰＰ  ＴＲ  ３８．８０１  ｖ１．２．０に記載）は、中央ユニット（ＣＵまたはｇＮＢ−ＣＵ）および１つ以上の分散ユニット（ＤＵまたはｇＮＢ−ＤＵ）を含む。ＣＵは、高位レイヤプロトコルをホストする中央ユニットであり、ＤＵの動作を制御することを含む多くのｇＮＢ機能を含む論理ノードである。ＤＵは、下位層プロトコルをホストする分散型論理ノードであり、機能分割オプションに応じて、ｇＮＢ機能の様々なサブセットを含むことができる。（本明細書で使用されるように、用語「中央ユニット」および「中央集中ユニット」は互換的に使用され、用語「分散ユニット」および「非中央集中ユニット」は互換的に使用される。）
【００１７】
図４に示すＮＧ、Ｘｎ−Ｃ、およびＦ１の項目は、論理インタフェースである。ＮＧ−ＲＡＮでは、分割されたｇＮＢ（例えば、ｇＮＢ−ＣＵとｇＮＢ−ＤＵからなる）のためのＮＧおよびＸｎ−Ｃインタフェースは、ｇＮＢ−ＣＵで終端する。同様に、ＥＮ−ＤＣでは、スプリットｇＮＢのＳ１−ＵおよびＸ２−Ｃインタフェースは、ｇＮＢ−ＣＵで終端する。ｇＮＢ−ＣＵは、それぞれのＦ１論理インタフェースを介してｇＮＢ−ＤＵに接続する。ｇＮＢ−ＣＵおよび接続されたｇＮＢ−ＤＵは、他のｇＮＢおよびｇＮＢとしての５ＧＣからのみ視認可能であり、例えば、Ｆ１インタフェースは、ｇＮＢ−ＣＵを越えて視認されない。
【００１８】
さらに、ＣＵはＲＲＣやＰＤＣＰなどのプロトコルをホストすることができ、ＤＵはＲＬＣ、ＭＡＣ、ＰＨＹなどのプロトコルをホストすることができる。ＣＵとＤＵの間のプロトコル分布の他の変種が存在し、例えば、ＲＲＣ、ＰＤＣＰおよびＲＬＣプロトコルの一部（例えば、自動再送要求（ＡＲＱ）機能）をＣＵにホストし、ＲＬＣプロトコルの残りの部分をＭＡＣおよびＰＨＹとともにＤＵにホストするようなものである。いくつかの例示的な実施形態では、ＣＵはＲＲＣおよびＰＤＣＰをホストすることが想定され、ＰＤＣＰはＵＰトラフィックおよびＣＰトラフィックの両方を処理することが想定される。それにもかかわらず、他の例示的な実施形態では、特定のプロトコルをＣＵ内でホストし、特定のプロトコルをＤＵ内でホストすることにより、他のプロトコル分割を利用することができる。例示的な実施形態では、集中制御プレーンプロトコル（例えば、ＰＤＣＰ−ＣおよびＲＲＣ）を、集中ユーザプレーンプロトコル（例えば、ＰＤＣＰ−Ｕ）に関して別のＣＵに配置することもできる。
【００１９】
ＬＴＥ  Ｒｅｌ−１３では、ＵＥがＲＲＣアイドルと同様のサスペンド（一時停止）状態でネットワークからサスペンドされるメカニズムが導入されたが、ＵＥがアクセス層（ＡＳ）コンテキストまたはＲＲＣコンテキストを格納するという違いがある。これにより、ＲＲＣ接続を再開することによってＵＥが再びアクティブになったときのシグナリングを低減することが可能になり、その結果、ＲＲＣ接続をスクラッチから確立する必要がなくなる。シグナリングを削減することで、ＵＥの待機時間の短縮（例えば、インターネットにアクセスするスマートフォンの場合）やＵＥのシグナリングの削減など、いくつかの利点が得られるが、これは、特にデータの送信が非常に少ない（シグナリングがエネルギーの主な消費者である）マシンタイプ通信（ＭＴＣ）デバイスの場合には、ＵＥのエネルギー消費量の削減につながる。
【００２０】
ＬＴＥ  Ｒｅｌ−１３ソリューションは、ＵＥがネットワークにＲＲＣＣｏｎｎｅｃｔｉｏｎＲｅｓｕｍｅ−Ｒｅｑｕｅｓｔメッセージを送信し、それに応答してネットワークからＲＲＣＣｏｎｎｅｃｔｉｏｎＲｅｓｕｍｅメッセージを受信することに基づいている。ＲＲＣＣｏｎｎｅｃｔｉｏｎＲｅｓｕｍｅは暗号化されていないが、完全性は保護されている。
【００２１】
５Ｇに関する３ＧＰＰ標準化作業の一環として、ＮＲは、ＬＴＥ  Ｒｅｌ−１３のサスペンド状態と同様の特性を持つＲＲＣインアクティブ状態をサポートすることが決定された。ＲＲＣインアクティブ状態は、ＬＴＥのようにＲＲＣアイドルの一部ではなく、別個のＲＲＣ状態であるという点で、若干性質が異なる。さらに、ＣＮ／ＲＡＮ接続（ＮＧまたはＮ２インタフェース）は、ＬＴＥでサスペンドされていたＲＲＣインアクティブの間、生きたまま保持される。
【００２２】
図５Ａは、ＮＲにおけるＲＲＣ状態間の可能な遷移を示す例示的な状態遷移図である。図５Ａに示された状態の特性は、以下のように要約される：
【００２３】
ＲＲＣアイドル：
−  ＵＥ固有のＤＲＸは、上位層によって構成され得る；
−  ネットワーク構成に基づいてＵＥが制御するモビリティ；
−  ＵＥは：
−  ５Ｇ−Ｓ−ＴＭＳＩを使用してＣＮページングのためのページングチャネルを監視する；
−  近隣セル測定とセル（再）選択を実行する；
−  システム情報を取得する。
【００２４】
ＲＲＣインアクティブ：
−  ＵＥ固有のＤＲＸは、上位層またはＲＲＣ層によって構成され得る；
−  ネットワーク構成に基づいてＵＥが制御するモビリティ；
−  ＵＥはＡＳコンテキストを格納する；
−  ＵＥは：
−  ５Ｇ−Ｓ−ＴＭＳＩを使用したＣＮページングとＩ−ＲＮＴＩを使用したＲＡＮページングのためのページングチャネルを監視する；
−  近接セル測定とセル（再）選択を実行する；
−  ＲＡＮベースの通知エリアの更新を定期的に実行し、ＲＡＮベースの通知エリア外に移動する場合；
−  システム情報を取得する。
【００２５】
ＲＲＣコネクテッド：
−  ＵＥは、ＡＳコンテキストを格納する。
−  ＵＥとの間でユニキャストデータを転送する。
−  下位層では、ＵＥは、ＵＥ固有のＤＲＸで構成され得る。；
−  ＣＡをサポートするＵＥの場合、帯域幅を拡大するために、ＳｐＣｅｌｌとアグリゲートされた１つまたは複数のＳＣｅｌｌを使用する；
−  ＤＣをサポートするＵＥの場合、帯域幅を拡大するために、ＭＣＧとアグリゲートされた１つのＳＣＧを使用する；
−  ネットワーク制御モビリティ、すなわち、ＮＲ内およびＥ−ＵＴＲＡＮとの間のハンドオーバ。
−  ＵＥは：
−  ページングチャネルを監視する；
−  共有データチャネルに関連付けられた制御チャネルを監視し、データがそのチャネルにスケジュールされているかどうかを決定する；
−  チャネル品質とフィードバック情報を提供する；
−  近隣セルの測定および測定報告を実行する；
−  システム情報を取得する。
【００２６】
図５Ｂは、ＲＲＣコネクテッドからＲＲＣインアクティブへの移行手順の間の様々な動作の、ユーザ装置（ＵＥ）とＮＲ＿ｇＮＢとの間の例示的なフロー図である。ＲＲＣコネクテッドからＲＲＣインアクティブへの移行は１ステップで行われることが３ＧＰＰ＿ＮＲ標準化で合意されており、周期的ＲＡＮ通知領域（ＲＮＡ）更新のためのタイマを含んでもよい。ＵＥは、図５Ｂに示すＲＲＣサスペンド（または同等のもの）メッセージを受信した時点で、タイマ（Ｔ３８０と呼ばれる）を開始することを前提としている。また、ＵＥは、Ｔ３８０の満了時に周期的ＲＮＡ更新をトリガしなければならないと仮定している。これは現在、３ＧＰＰ  ＴＳ  ３８．３３１のセクション５．３．１４．３−４で次のように規定されている。
【００２７】
2021522707.tif 000003
2021522707.tif 000004
2021522707.tif 000005
2021522707.tif 000006
【００２８】
ＲＮＡ更新（ＲＮＡＵ）がＲＲＣ再開手順を使用して実行されることが合意されているので、以下で議論される手順は、ＵＥが新しいＲＮＡに入るときに実行される。より詳細には、図６Ａ〜６Ｅは、ＵＥがネットワークにＲＲＣＲｅｓｕｍｅＲｅｑｕｅｓｔメッセージを送信することを含むＲＲＣ接続再開手順の例示的なフロー図であり、様々なネットワーク応答が示されている。図６Ａは、成功したＲＲＣ接続再開を示す。図６Ｂは、成功したＲＲＣ接続確立へのフォールバックを伴うＲＲＣＲｅｓｕｍｅＲｅｑｕｅｓｔを示す。図６Ｃは、成功したネットワーク解放に続くＲＲＣＲｅｓｕｍｅＲｅｑｕｅｓｔを示す。図６Ｄは、ＲＲＣＲｅｓｕｍｅＲｅｑｕｅｓｔの後にネットワーク一時停止が続くことを示しており、これは成功している。図６Ｅは、ＲＲＣＲｅｓｕｍｅＲｅｑｕｅｓｔの後にネットワーク拒否が続くことを示す。図６Ｂ〜６Ｅに示されるネットワーク応答の各々は、異なるメッセージを使用してＲＲＣＲｅｓｕｍｅＲｅｑｕｅｓｔを拒否する異なる方法とみなすことができる。
【００２９】
ＵＥは、上位層の要求に応じて、ＮＧ−ＲＡＮページングに応答するとき、またはＵＥがＲＲＣインアクティブ状態にある間にＲＮＡ更新をトリガするときに、ＲＲＣ接続再開手順を開始する。これは現在、３ＧＰＰ  ＴＳ  ３８．３３１セクション５．３．１３．２で次のように規定されている。
【００３０】
2021522707.tif 000007
【００３１】
ＵＥがＲＲＣインアクティブ状態にある間にトリガされたＲＮＡ更新のシナリオについては、ＵＥは、原因値「ｒｎａ−ｕｐｄａｔｅ」（または同等のもの）を持つＲＲＣＲｅｓｕｍｅＲｅｑｕｅｓｔメッセージを送信する。これに対して、ネットワークがオーバーロードされている場合、ネットワークは、図６Ｅに示すフロー図に対応する待機タイマを含むＲＲＣＲｅｊｅｃｔメッセージを送信することができることが合意されている。ＵＥのＲＲＣＲｅｊｅｃｔメッセージの処理は、現在のところ次のように指定されている。
【００３２】
2021522707.tif 000008
【発明の概要】
【００３３】
現在のところ、例えば周期的ＲＮＡのためにトリガされたＲＲＣＲｅｓｕｍｅＲｅｑｕｅｓｔに応答して、図６Ｅに示すように、ＲＲＣＲｅｊｅｃｔを受信したときにＵＥによって取られる動作の仕様はない。再開手順の開始は、例えば、異なる理由のためであり得る。
−ＵＥが、構成されたＲＮＡに属さないセルに入ると、ＵＥは、ＲＮＡ更新を実行することになっている、すなわち、原因値「ｒｎａ−ｕｐｄａｔｅ」（または同等のもの）を有するＲＲＣＲｅｓｕｍｅＲｅｑｕｅｓｔメッセージを送信することにより、ＲＲＣ再開手順をトリガする；
−アップリンクデータの到着後、ＵＥは、原因値「ｍｏ−ｄａｔａ」（または同等）を持つＲＲＣＲｅｓｕｍｅＲｅｑｕｅｓｔメッセージを送信することで、ＲＲＣ再開手順を実行することになっている；または
−ＵＥは、ＵＥに割り当てられたＩ−ＲＮＴＩを含むＲＡＮページメッセージを受信すると、ＵＥは、原因値「ｒａｎ−ｐａｇｉｎｇ」（または同等の値）を持つＲＲＣＲｅｓｕｍｅＲｅｑｕｅｓｔメッセージを送信することにより、ＲＲＣ再開手順を実行することになっている。
【００３４】
モビリティＲＮＡ（すなわち、ＵＥが構成ＲＮＡに属さないセルに入ること）、ＵＬデータ、ＲＡＮページングなどのＲＲＣ層によってトリガされた再開要求に応答してＲＲＣＲｅｊｅｃｔを受信した場合、その後の動作についての記述はない。従来のアプローチによれば、この場合、ＵＥがどのようなアクションを取るのか、またＲＲＣ層の機能（ＲＮＡ更新、ＵＬデータ、ＲＡＮページング応答）がどうなるのかは定かではない。それに加えて、記述されている唯一の動作は、ＵＥがＲＲＣ接続の再開に失敗したこととアクセス制御関連情報を上位層に通知し、それに伴って手順が終了すると述べているが、実際には、ＲＮＡ更新および他の手順はＲＲＣ／アクセス層によって処理される。
【００３５】
モビリティＲＮＡ更新の具体的なケースでは、ＳＲＢ０上でＲＲＣＲｅｊｅｃｔが送信される可能性があるが、ネットワークがＵＥの位置について更新されたかどうか、すなわち、ネットワークがＲＡＮページングを介してＲＲＣインアクティブのＵＥにどのように到達しようとするべきかについて、ＵＥにとっても不確実性があるかもしれない。
【００３６】
不明瞭なままの別の手順は、ＵＥがモビリティＲＮＡ更新のためのＲＲＣＲｅｓｕｍｅＲｅｑｕｅｓｔを送信し、応答でＲＲＣＲｅｊｅｃｔを受信し、待機タイマを開始し、待機タイマが実行されている間、ＵＥは、ＵＥが構成されていたＲＮＡに属するセルであっても可能なセル再選択を実行する場合である。
【００３７】
本明細書に開示された例示的な実施形態は、ＵＥが当該ＵＥのために構成されたＲＮＡの外にあるセルに入ることによって引き起こされるモビリティＲＮＡＵのようなＲＲＣ層トリガされた手順に応答してＲＲＣＲｅｊｅｃｔ（待機タイマ付き）を受信したときにＵＥのアクションを処理するための新しいメカニズムを提供することによって、既存のソリューションのこれらの問題、課題、および／または欠点に対処するものである。開示された実施形態のいくつかによれば、モビリティＲＮＡ更新に応答するＲＲＣＲｅｊｅｃｔの受信時の明確なＵＥの動作が定義され、ＲＡＮページングを介した到達性の点でのネットワーク動作を容易にする。本技術はまた、ＵＥが、ネットワークおよび上位層サービスによってもはや到達不可能な状態またはセルで終わることを回避するために使用されてもよい。より一般的には、本明細書に記載された機構は、ＵＥとネットワークとの間の状態の不一致に関して曖昧さを回避する。
【００３８】
本開示の例示的な実施形態は、エリア更新報告を処理するための方法および／または手順を含む。いくつかの実施形態によれば、無線デバイスにおける方法は、前記無線デバイスに対して構成されたＲＮＡに属していないセルに該無線デバイスが進入したことを検出することに応答して、ＲＮＡＵを開始することと、前記無線デバイスの前記ＲＮＡＵの実行の試行が拒否されたことを示すメッセージを前記無線ネットワークから受信することと、を含む。前記メッセージは待機時間値が適用可能であることを示すインジケーションを含むかまたは伴う。方法は、また、前記メッセージに応答して、拒否待機タイマを前記待機時間値に設定することを含む。方法は、さらに、前記拒否待機タイマが満了すると前記ＲＮＡＵを実行することを含む。いくつかの実施形態では、前記無線デバイスはまた、前記メッセージに応答して、周期的ＲＮＡＵタイマを前記待機時間値に設定することと、前記拒否待機タイマおよび前記周期的ＲＮＡＵタイマが満了すると前記ＲＮＡＵを実行することを含む。
【００３９】
いくつかの実施形態によれば、無線ネットワーク内で動作する無線デバイスにおいて、エリア更新報告を処理するための方法は、前記無線デバイスに対して構成されたＲＮＡに属しておらずかつ前記無線デバイスに対して構成されたトラッキングエリアに属していないセルに該無線デバイスが進入したことを検出することに応答して、組み合わされたＲＮＡＵおよびＴＡＵを開始することを含む。方法は、前記無線デバイスの前記組み合わされたＲＮＡＵおよびＴＡＵの実行の試行が拒否されたことを示すメッセージを前記無線ネットワークから受信することを含む。前記メッセージは待機時間値が適用可能であることを示すインジケーションを含むかまたは伴う。方法は、また、前記メッセージに応答して、拒否待機タイマを前記待機時間値に設定し、続いて、前記周期的ＲＮＡＵタイマの満了の前にセル再選択を実行することを含む。方法は、さらに、前記セル再選択に続いて、直ちにＴＡＵを実行することを含む。
【００４０】
いくつかの実施形態によれば、無線ネットワーク内で動作する無線デバイスにおいて、エリア更新報告を処理するための方法は、前記無線デバイスに対して構成されたＲＮＡに属していないセルに該無線デバイスが進入したことを検出することに応答して、ＲＮＡＵを開始することを含む。方法は、また、前記無線デバイスの前記ＲＮＡＵの実行の試行が拒否されたことを示すメッセージを前記無線ネットワークから受信することを含み、前記メッセージは待機時間値が適用可能であることを示すインジケーションを含むかまたは伴う。方法は、さらに、前記メッセージに応答して、拒否待機タイマを前記待機時間値に設定し、前記無線デバイスのＲＲＣ層に前記拒否を通知することを含む。
【００４１】
いくつかの実施形態によれば、無線ネットワーク内で動作する無線デバイスにおいて、エリア更新報告を処理するための方法は、前記無線デバイスに対して構成されたＲＮＡに属していないセルに該無線デバイスが進入したことを検出することに応答して、ＲＮＡＵを開始することを含む。方法は、前記無線デバイスの前記ＲＮＡＵの実行の試行が拒否されたことを示すメッセージを前記無線ネットワークから受信することを含み、前記メッセージは待機時間値が適用可能であることを示すインジケーションを含むかまたは伴う。方法は、さらに、前記メッセージに応答して、許可されるとすぐにおよび／または特定の条件が満たされるとすぐに前記拒否されたＲＮＡＵが再び試行されるようにするために、前記拒否されたＲＮＡＵを保留通知として追跡することを含む。
【００４２】
他の例示的な実施形態は、上述の例示的な方法および／または手順に対応する動作を実行するように構成可能なセルラーネットワーク内の無線ノード（例えば、基地局、低電力ノード、無線デバイス、ユーザ装置など）を含む。他の例示的な実施形態は、少なくとも１つのプロセッサによって実行されると、上述の例示的な方法および／または手順に対応する動作を実行するようにそのような無線ノードを構成するプログラム命令を格納する、非一時的な、コンピュータ可読媒体を含む。
【００４３】
本開示の例示的な実施形態のこれらおよび他の目的、特徴および利点は、本開示の例示的な実施形態の以下の詳細な説明を読むと明らかになるであろう。
【図面の簡単な説明】
【００４４】
【図１】３ＧＰＰによって標準化されたロングタームエボリューション（ＬＴＥ）進化型ＵＴＲＡＮ（Ｅ−ＵＴＲＡＮ）および進化型パケットコア（ＥＰＣ）ネットワークの例示的なアーキテクチャの高レベルのブロック図である。
【図２Ａ】構成要素、プロトコル、およびインタフェースに関する例示的なＥ−ＵＴＲＡＮアーキテクチャの高レベルのブロック図である。
【図２Ｂ】ユーザ装置（ＵＥ）とＥ−ＵＴＲＡＮとの間の無線（Ｕｕ）インタフェースの制御プレーン部分の例示的なプロトコル層のブロック図である。
【図２Ｃ】ＰＨＹ層の観点から見た例示的なＬＴＥ無線インタフェースプロトコルアーキテクチャのブロック図である。
【図３Ａ】周波数分割複信（ＦＤＤ）動作に使用される例示的なダウンリンクのＬＴＥ無線フレーム構造のブロック図である。
【図３Ｂ】周波数分割複信（ＦＤＤ）動作に使用される例示的なアップリンクのＬＴＥ無線フレーム構造のブロック図である。
【図４】例示的な５Ｇ論理ネットワークアーキテクチャのブロック図である。
【図５Ａ】ＮＲ内のＲＲＣ状態間の可能な遷移を示す、例示的な状態遷移図である。
【図５Ｂ】ＮＲ内のＲＲＣ状態間の可能な遷移を示す、例例示的なフロー図である。
【図６Ａ】本開示の様々な例示的な実施形態に従った、ＵＥによるネットワークへのＲＲＣＲｅｓｕｍｅＲｅｑｕｅｓｔメッセージの送信と様々なネットワーク応答とを含むＲＲＣ接続再開手順の例示的なフロー図を示す。
【図６Ｂ】本開示の様々な例示的な実施形態に従った、ＵＥによるネットワークへのＲＲＣＲｅｓｕｍｅＲｅｑｕｅｓｔメッセージの送信と様々なネットワーク応答とを含むＲＲＣ接続再開手順の例示的なフロー図を示す。
【図６Ｃ】本開示の様々な例示的な実施形態に従った、ＵＥによるネットワークへのＲＲＣＲｅｓｕｍｅＲｅｑｕｅｓｔメッセージの送信と様々なネットワーク応答とを含むＲＲＣ接続再開手順の例示的なフロー図を示す。
【図６Ｄ】本開示の様々な例示的な実施形態に従った、ＵＥによるネットワークへのＲＲＣＲｅｓｕｍｅＲｅｑｕｅｓｔメッセージの送信と様々なネットワーク応答とを含むＲＲＣ接続再開手順の例示的なフロー図を示す。
【図６Ｅ】本開示の様々な例示的な実施形態に従った、ＵＥによるネットワークへのＲＲＣＲｅｓｕｍｅＲｅｑｕｅｓｔメッセージの送信と様々なネットワーク応答とを含むＲＲＣ接続再開手順の例示的なフロー図を示す。
【図７】本開示のいくつかの例示的な実施形態に従った、例示的な通信システムを示す図である。
【図８】いくつかの実施形態に従った、部分的に無線接続を介して、基地局を介してユーザ装置と通信するホストコンピュータの一般化されたブロック図である。
【図９】ホストコンピュータ、基地局、およびユーザ装置を含む通信システム内で実施される方法を示すフローチャートである。
【図１０】ホストコンピュータ、基地局、およびユーザ装置を含む通信システム内で実施される方法を示すフローチャートである。
【図１１】ホストコンピュータ、基地局、およびユーザ装置を含む通信システム内で実施される方法を示すフローチャートである。
【図１２】ホストコンピュータ、基地局、およびユーザ装置を含む通信システム内で実施される方法を示すフローチャートである。
【図１３】いくつかの実施形態に従った、例示的なネットワークノードを示すブロック図である。
【図１４】いくつかの実施形態に従った、例示的な無線デバイスを示すブロック図である。
【図１５】無線デバイスで実行される、いくつかの実施形態に従った例示的な方法を示す処理フロー図である。
【図１６】無線デバイスで実行される、いくつかの実施形態に従った別の例示的な方法を示す処理フロー図である。
【図１７】無線デバイスで実行される、いくつかの実施形態に従った別の例示的な方法を示す処理フロー図である。
【図１８】無線デバイスで実行される、いくつかの実施形態に従った別の例示的な方法を示す処理フロー図である。
【図１９】例示的な無線デバイスの機能表現を示すブロック図である。
【発明を実施するための形態】
【００４５】
本明細書で企図される実施形態のいくつかは、添付の図面を参照して、より詳細に説明される。しかしながら、他の実施形態は、本明細書に開示された主題の範囲内に含まれ、開示された主題は、本明細書に記載された実施形態のみに限定されるものとして解釈されるべきではなく、むしろ、これらの実施形態は、当業者に主題の範囲を伝えるために例示の形で提供される。さらに、以下の用語は、以下に与えられた説明全体を通して使用される。
・無線ノード：本明細書で使用されるように、「無線ノード」は、「無線アクセスノード」または「無線デバイス」のいずれかであり得る。
・無線アクセスノード：本明細書で使用されるように、「無線アクセスノード」（または「無線ネットワークノード」）は、無線で信号を送信および／または受信するように動作するセルラー通信ネットワークの無線アクセスネットワーク（ＲＡＮ）内の任意のノードであり得る。無線アクセスノードの例としては、基地局（例えば、３ＧＰＰ第５世代（５Ｇ）ＮＲネットワークのニューラジオ（ＮＲ）基地局（ｇＮＢ）、または３ＧＰＰ  ＬＴＥネットワークの強化型または進化型ノードＢ（ｅＮＢ））、高出力またはマクロ基地局、低出力基地局（例えば、マイクロ基地局、ピコ基地局、ホームｅＮＢなど）、および中継ノードが挙げられるが、これらに限定されるものではない。
・コアネットワークノード：本明細書で使用されるように、「コアネットワークノード」は、コアネットワーク内の任意のタイプのノードである。コアネットワークノードの例としては、例えば、モビリティ管理エンティティ（ＭＭＥ）、パケットデータネットワークゲートウェイ（Ｐ−ＧＷ）、サービスケイパビリティ露出機能（ＳＣＥＦ）などが挙げられる。
・無線デバイス：本明細書で使用されるように、「無線デバイス」とは、無線アクセスノードに無線で信号を送信および／または受信することにより、セルラー通信ネットワークにアクセスする（すなわち、セルラー通信ネットワークによりサービスを受ける）任意のタイプのデバイスを意味する。無線デバイスの例としては、３ＧＰＰネットワーク内のＵＥおよびマシンタイプ通信（ＭＴＣ）デバイスが挙げられるが、これらに限定されるものではない。
・ネットワークノード：本明細書で使用されるように、「ネットワークノード」は、無線アクセスネットワークの一部またはセルラー通信ネットワーク／システムのコアネットワークのいずれかである任意のノードである。
【００４６】
本明細書に記載された記述は、３ＧＰＰセルラー通信システムに焦点を当てており、そのように、３ＧＰＰ用語または３ＧＰＰ用語に類似した用語がしばしば使用されることに留意されたい。しかしながら、本明細書に開示される概念は、３ＧＰＰシステムに限定されない。さらに、本明細書では「セル」という用語が使用されるが、（特に５Ｇ＿ＮＲの概念に関して）ビームがセルの代わりに使用されてもよく、そのように、本明細書に記載された概念は、セルおよびビームの両方に等しく適用されることが理解されるべきである。
【００４７】
様々な例示的な実施形態が、本明細書では、ＮＲネットワーク内のＲＲＣインアクティブ状態のＵＥによって実行される方法、手順、および／または動作として記載されている。これらの実施形態は、限定されることなく、例示のみの目的で使用される。例えば、これらの実施形態の原理は、以下に限定されないが、以下に含まれる他の構成、シナリオ、および／またはネットワークタイプにも同様に適用可能である：
・ＬＴＥネットワーク内のＲＲＣインアクティブ状態のＵＥ；
・主に、同じＣＮ（５Ｇコアネットワーク）に接続されたＬＴＥとＮＲのＲＡＮの間で行われる、ＲＲＣインアクティブ状態のＵＥ間ＲＡＴ手順。これらのシナリオでは、周期的ＲＮＡ更新タイマＴ３８０は、ＲＡＴ間タイマとして定義されている（すなわち、ＵＥがＲＡＴを変更している場合でも実行し続ける）。ＵＥが他のＲＡＴにいるときにＴ３８０が満了する場合、ＵＥは、そのＲＡＴで周期的ＲＮＡ更新を実行する。これらのＲＡＴ間シナリオは、以下を含む：
・ＬＴＥのＲＲＣコネクテッド中のＵＥがＬＴＥのＲＲＣインアクティブに一時停止（サスペンド）され、Ｔ３８０を起動し、モビリティ管理を実行し、ＮＲセルでキャンプする（すなわち、ＮＲ内ではＲＲＣインアクティブになる）。ＮＲにいる間にＴ３８０が満了となり、ＵＥはＮＲ内で（再開要求で）ＲＮＡ更新を実行しようとする。ネットワークはＲＲＣＲｅｊｅｃｔで応答することができる。
・ＮＲのＲＲＣコネクテッドのＵＥは、ＮＲのＲＲＣインアクティブに一時停止され、Ｔ３８０を起動し、モビリティ管理を実行し、ＬＴＥセルでキャンプする（すなわち、ＬＴＥ内ではＲＲＣインアクティブになる）。ＬＴＥにいる間にＴ３８０が満了となり、ＵＥはＮＲ内で（再開要求で）ＲＮＡ更新を実行しようとする。ネットワークは、ＲＲＣＲｅｊｅｃｔで応答することができる。
【００４８】
待機タイマ付きのＲＲＣＲｅｊｅｃｔメッセージを受信した際にＵＥによって実行される方法、手順、および／または動作として、様々な例示的な実施形態が本明細書に記載されている。これらの例示的な実施形態は、限定することなく、例示のみの目的で使用される。例えば、これらの実施形態の原理は、ネットワークによる「拒否機能」を含むが、この正確なメッセージを使用しない他の構成、シナリオ、および／またはネットワークタイプにも同様に適用可能である。例えば、ＲＲＣ解放（リリース）または一時停止構成を有するＲＲＣ解放はまた、タイマが満了するまで（またはＵＥがセル再選択を実行するまで）ＵＥがシステムにアクセスしてはならないことを示す待機タイマを含んでもよい。システムがＲＲＣＲｅｊｅｃｔまたはＲＲＣ解放を介して「拒否機能」をサポートしている場合、ネットワークがＵＥに応答するために使用するメッセージに応じてＵＥの動作に違いがある場合もある。例えば、ＲＲＣＲｅｊｅｃｔは通常、保護されていないＳＲＢ０を使用して送信され、一方、ＵＥをＲＲＣインアクティブ状態に移動させる一時停止指示（または同等のメッセージ）を伴うＲＲＣＲｅｌｅａｓｅは、保護されており安全なＳＲＢ１を使用する。これらの側面は、様々な実施形態に関して後述する。
【００４９】
また、注目すべきは、以下に記載される特定の技法が、モビリティートリガＲＮＡ更新の文脈で記載されていることである。しかしながら、これらの技法は、ＲＲＣ再開手順がトリガされる他のシナリオ、例えば、ＲＡＮページまたはアップリンク（ＵＬ）データの利用可能性に応答しても適用可能である。
【００５０】
いくつかの可能な実施形態を構成する第１のアプローチでは、より一般的に無線デバイスと呼ばれてもよいＵＥは、待機時間を有するＵＥを拒否するメッセージを受信すると（例えば、待機タイマを有するＲＲＣＲｅｊｅｃｔまたは解放）、周期的ＲＮＡＵタイマを待機タイマ値に設定するが、メッセージがモビリティＲＮＡ更新に応答している（例えば、ＵＥが構成されたＲＮＡに属さないセルに入ることによってトリガされる）。ＵＥは、拒否待機タイマ（例えば、ＮＲドラフト仕様ではＴ３０２）を開始し、周期的ＲＮＡＵタイマＴ３８０を待機タイマＴ３０２を設定するために使用されたのと同じ値に設定し、周期的ＲＮＡＵタイマを開始する。その結果、ＵＥは、待機タイマＴ３０２が満了した直後に周期的ＲＮＡＵの試行を実行する。このアプローチは、拒否メッセージがＳＲＢ０で送信された場合に、このメッセージがＳＲＢ１で送信される代わりに、ネットワークはコンテキストを更新し、周期的ＲＮＡＵタイマを明示的に提供することができるので、特に有用である。周期的ＲＮＡＵタイマを待機タイマに設定する利点の１つは、例外的な動作を指定する必要がなく、モビリティＲＮＡＵを保留にすることなく、周期的ＲＮＡＵタイマに従って定義された動作に従ってＵＥが動作することである。これは、多くの状況において、ＵＥがＲＮＡを変更したことの通知を高速化する可能性がある。
【００５１】
周期的ＲＮＡＵタイマを待機タイマに設定することにより、待機タイマが満了してＵＥがシステムにアクセスすることが許可されても、ＵＥはセル再選択時にモビリティＲＮＡＵを実行しないことが観察されるかもしれない。これは、不必要なシグナリングを回避したい場合に特に有用な結果と考えられ、この状況で必要なページングはコアネットワークページングを介して処理される。
【００５２】
ネットワークの観点から、説明されたＵＥの動作は、ＵＥが構成されたＲＮＡに属さないセルに入ったときに、ネットワークがモビリティＲＮＡＵを受信しないことにつながる可能性があることが観察されるかもしれない。しかしながら、ネットワークは、Ｒｅｊｅｃｔの発生に関するＵＥコンテキストを必ずしも更新することなく、特定のセル内でＲｅｊｅｃｔが発生する可能性があることを知っているので、ネットワークは、おそらく構成されたＲＮＡに属していないが、ＵＥがカバレッジ内にあると仮定してもよい。ネットワークは、例えば、ＵＥのＲＮＡでの最初の試行が失敗した場合、構成されたＴＡＩリストでＵＥをページングしようとするように構成されているかもしれない。したがって、ネットワークは、いずれにしても、ＲＡＮページングでＵＥにページングを試行することができる。
【００５３】
上述のアプローチの変形例では、ＵＥは、ネットワークからＲＲＣＲｅｊｅｃｔメッセージ内のインジケーションを受信した場合にのみ、周期的ＲＮＡＵタイマを待機タイマ値に設定する。そのインジケーションは、ネットワークがＵＥコンテキストを利用可能にしているが、それでもＵＥを拒否することを好む場合に、ネットワークが設定するものであってもよい。
【００５４】
上記のアプローチの別の変形例では、モビリティＲＮＡ更新に応答して拒否メッセージを受信すると、ＵＥは拒否待機タイマ（例えば、ＮＲドラフト仕様のＴ３０２）を開始し、周期的ＲＮＡＵタイマをデフォルト値で再起動させ、ＲＲＣ層に通知する。
【００５５】
上述のアプローチに対するさらに別の変形例では、拒否されたモビリティＲＮＡＵが実際には組み合わされたモビリティＲＮＡＵとＴＡＵである場合に、わずかに異なる動作を定義することができる。モビリティＲＮＡ更新に応答して拒否メッセージを受信すると、ＵＥは、拒否待機タイマ（例えば、ＮＲドラフト仕様書のＴ３０２）を開始し、周期的ＲＮＡＵタイマを値で再起動させ、ＲＲＣ層に通知する。セル再選択が発生した場合、ＵＥは直ちにトラッキングエリア更新を実行する。
【００５６】
別の技術のセットによれば、保留通知の概念が、上で議論された問題に適用される。いくつかの実施形態では、その後、モビリティＲＮＡ更新（または他の再開ケース）に応答して拒否メッセージ（例えば、待機タイマ付きＲＲＣＲｅｊｅｃｔ）を受信すると、ＵＥは、拒否待機タイマ（例えば、ＮＲドラフト仕様書のＴ３０２）を開始し、ＲＲＣ層（またはＡＳ層）がモビリティＲＮＡ更新（または他の再開ケース、例えば、ＵＬデータ、ＲＡＮページ応答）をＵＥによって追跡される保留通知にするように、ＲＲＣ層に通知する。
【００５７】
保留通知をすることにより、ＵＥは、ＵＥが許可されるとすぐに再開手順を再実行しようとする。例えば、以下のようなものである：
−待機タイマＴ３０２の満了時に、ＲＲＣ層（またはＡＳ層）は、ＵＥに対して、保留中の再開手順（例えば、モビリティＲＮＡＵ）を実行するように要求する。
【００５８】
変形例では、保留されていた後続の再開手順は、これが最初の試行ではなく、保留通知であることを示すインジケーションを含む。これは、これが遅い通知であることをネットワークに示すかもしれない。これは、ネットワークが、Ｔ３０２が実行されている間に、ＲＮＡで成功せずにＵＥをページングしようとした場合（すなわち、ＵＥが、構成されたＲＮＡに属さないセル内でモビリティＲＮＡを実行しようとした際に拒否された場合）に有用であるかもしれない。
【００５９】
ネットワークの観点から（例えば、モビリティトリガＲＮＡＵの場合）、ＵＥでモビリティＲＮＡＵを保留にすることにより、ネットワークは、ＵＥがモビリティＲＮＡＵの送信を許可されるとすぐにモビリティＲＮＡＵを受信すべきであることを知っていることが観察され、これにより、ネットワークのＲＡＮページング動作が単純化される可能性がある。Ｔ３０２が実行されている間、ネットワークは、ＵＥからの応答がないまま、ＲＮＡ内のＵＥにページングを試行するかもしれないが、その後、ＲＮＡに属していないセル内のＵＥに到達するために、ＣＮページングを試みることができる。さらなる問題は、モビリティＲＮＡがＴＡＵと組み合わされたＲＮＡである場合（すなわち、ＵＥがＲＮＡのＴＡＩリストに属さないセル内にある場合）に発生する可能性がある。その場合、以下の変形例が定義される：
−保留中のモビリティＲＮＡＵが組み合わされたＲＮＡＵとＴＡＵである場合（すなわち、ＵＥがＲＮＡ境界とＴＡＵ境界を同時に横断している場合）、再開要求は、原因値「ｍｏ−ｓｉｇｎａｌｌｉｎｇ」を持ち、アクセス制御ポリシーの中でより高い優先度を持つべきでり、さもないと、ＵＥはＲＡＮおよびＣＮページングの両方に到達不可能になり得る。別の変形例は、単にこれがｍｏ−ｓｉｇｎａｌｌｉｎｇであると言う代わりに、この組み合わされたＲＮＡ／ＴＡＵのための原因値を定義することである。別の代替案は、ネットワーク実装がこれらの再開要求に優先順位をつけることである。
【００６０】
いくつかの状況では、再開手順を再実行する最初に許可された機会は、様々な実施形態において、ＵＥが保留中の再開手順（例えば、モビリティＲＮＡＵ）を実行するセル再選択時であってもよい。一態様では、この後続の再開手順は、これが最初の試行ではないことを示すインジケーションを含んでもよい。これは、ＵＥが構成されたＲＮＡ内にないセルに入ったためにモビリティＲＮＡＵを実行しようとした場合、ネットワークによって拒否され、Ｔ３０２を開始し、Ｔ３０２が実行されている間に再び構成されたＲＮＡ内にあるセルへのセル再選択を実行する場合に、ネットワークにとって有用であるかもしれない。
【００６１】
ネットワークの観点から、ＵＥが再び構成されたＲＡＮ内にあるセルへの再選択を行うことが観察されるかもしれない。しかしながら、保留中のＲＮＡを送信することにより、ネットワークは、例えば、ネットワークがＲＡＮページングを介してＵＥにページングを試み、ＵＥが応答しなかった場合などに、何が起こったかを把握することができる。
【００６２】
再開手順が保留になる上記のアプローチに対する別の変形例では、いくつかの実施形態では、タイマＴ３８０は、拒否メッセージの受信時に変更されず、これは、ネットワークが拒否シナリオに関係なく周期的ＲＮＡＵを依然として待つことができるので、ネットワークの実装を単純化することができる。
【００６３】
いくつかの実施形態では、保留中の手順は、以下の条件のいずれかの変更によって変更される：
−ＵＥが新しいセルに進入する、
−ＵＥがより高い優先度の手続きを取得する、または、
−ＵＥがターゲットセルへのアクセスを禁止されている。
【００６４】
上述したものと密接に関連する別の技術のセットによれば、再開手順は、特定の条件の下でのみ保留状態になる。いくつかの実施形態では、再開要求メッセージに応答して拒否メッセージ（例えば、待機タイマ付きＲＲＣＲｅｊｅｃｔ）を受信すると、ＵＥは、拒否待機タイマ（例えば、ＮＲドラフト仕様書のＴ３０２）を開始し、ＲＲＣ層に通知するので、ＲＲＣ層（またはＡＳ層）は、（ただし許可されている場合は保留中の再開手順をトリガする必要はなく）以下の特定の条件が満たされる場合にのみ、その再開手順を保留通知にする：
−待機タイマＴ３０２が満了すると、ＵＥは、タイマの満了時にＵＥがまだ構成されたＲＮＡ内にないセル上にキャンプしている場合にのみ、保留中のモビリティＲＮＡＵを再度実行する。タイマが満了すると、ＵＥが構成されたＲＮＡ内にいる場合、ＵＥは、保留中のモビリティＲＮＡ更新を破棄する。
−セルの再選択時に、ＵＥは、新しいセルが構成されたＲＮＡに属していない場合にのみ、保留中のモビリティＲＮＡＵを実行する。言い換えれば、Ｔ３０２が実行されている間にＵＥがセル再選択を実行し、新しいセルがＵＥの構成されたＲＮＡに属する場合、ＵＥは、保留中のモビリティＲＮＡ更新を破棄する。
−セル再選択および／または待機タイマＴ３０２が満了すると、保留中のモビリティＲＮＡＵが組み合わされたＲＮＡとトラッキングエリア更新である場合にのみ（すなわち、ＵＥは保留中のモビリティＲＮＡＵを実行する）。このアプローチの別の変形例では、セル再選択および／または待機タイマＴ３０２が満了すると、保留中のモビリティＲＮＡＵが組み合わされたＲＮＡとトラッキングエリア更新である場合にのみ、すなわち、ＵＥは、モビリティＲＮＡＵの代わりにトラッキングエリア更新を実行し、それによりＵＥは、位置のＲＡＮおよびＣＮの両方を更新することが可能になるので、ＵＥは、モビリティＲＮＡＵの代わりにトラッキングエリア更新を実行する。
−より高い優先度がＵＥでトリガされた場合（例えば、緊急呼）、保留中の再開手順は、（Ｔ３０２が実行されているかどうかに関わらず）再度トリガされるか、保留中の再開手順が破棄され、代わりにより高い優先度の手順のみが実行される。
−セル再選択時に、ＵＥがキャンプに適したセルではないと考えられるセル（例えば、ＵＥがそのセルへのアクセスを禁止されている）を選択した場合。この場合、保留中の再開手順は破棄されてもよいし、ＵＥが適切なセルを選択した後の段階で実行されてもよい。
【００６５】
再開手順が保留になるアプローチの別の変形例では、タイマＴ３８０は、拒否メッセージの受信時に変更されず、これは、ネットワークが拒否シナリオに関係なく、依然として周期的ＲＮＡＵを待つことができるので、ネットワークの実装を単純化することができる。
【００６６】
さらに別のアプローチのセットでは、再開手順は保留されない。いくつかの実施形態によれば、待機タイマＴ３０２が満了すると、ＵＥは、直ちに再開手順を送信する必要はなく（すなわち、メッセージは、ＲＲＣおよび／または上位層によって保留とみなされない）、単に、ＵＥを拒否するメッセージを受信したときに、再開手順に関連する動作に依存する。これは、ＣＮページングを介して解決され得るネットワーク側からの一時的な到達性の問題を生じさせる可能性がある。一方で、ＵＥの動作を大幅に単純化する可能性がある。
【００６７】
いくつかの実施形態では、拒否された時点で、ＵＥは上位層に通知し、Ｔ３０２が満了するとＵＥは再開手順を実行する。モビリティＲＮＡＵまたは他の再開手順を実行しようとした後に拒否メッセージを受信した後、ＵＥは上位層に通知し、待機タイマＴ３０２が満了すると、ＵＥは直ちにトラッキングエリア更新／登録エリア更新または他のＮＡＳ回復手順を実行する。この方法では、ＵＥ−ＲＡＮ状態はコアネットワークから再構築される。この解決策は、例えば、ＵＥが異なるＣＮエリアに移動し、待機時間の間にネットワークから到達できなかった場合などに有用である。
【００６８】
この後者のアプローチの変形例では、Ｔ３０２が満了すると、ＵＥはＵＥコンテキストを破棄し、ＲＲＣインアクティブからＲＲＣアイドルに入り、ＮＡＳレベルの手順を実行する。
【００６９】
いくつかの実施形態では、ＵＥがモビリティＲＮＡＵを実行しようとしたときに拒否されると、ＵＥは、待機タイマＴ３０２を開始し、格納された構成（ＵＥがＲＲＣインアクティブに移動されたときに提供された、すなわち、ＵＥを拒否するメッセージには含まれていない）に従って、ＲＡＮページング通知を監視し続ける。ＵＥは、モビリティＲＮＡ更新の拒否にもかかわらず、ネットワークが現在のＵＥの位置（キャンプしている現在のセル）を知っている可能性があるので、ＲＡＮページングの監視を継続する。
【００７０】
ネットワークの観点から見た対応する実施形態では、ネットワークがＲＮＡ更新要求を拒否した後にＵＥの位置を認識している場合、ネットワークは、キャンピングセルが必ずしもそのＵＥの構成されたＲＮＡに属していないにもかかわらず、ＵＥがキャンピングしている新しいセル（すなわち、ＵＥが拒否されたセル）でＲＡＮページングを実行してもよい。
【００７１】
いくつかの実施形態では、ＵＥがモビリティＲＮＡＵを実行しようとした際に拒否された場合、ＵＥは、待機タイマＴ３０２を開始し、格納された構成（ＵＥがＲＲＣインアクティブに移動されたときに提供された、すなわち、ＵＥを拒否するメッセージには含まれていない）に従ってＲＡＮページング通知を監視することを停止し、ＣＮページングのみを監視する。ＵＥは、ネットワークがとにかく現在のＵＥの位置（キャンプしている現在のセル）を知らない可能性があるため、バッテリを節約するためにＣＮページングを監視し続ける。
【００７２】
ネットワークの観点から見た対応する実施形態では、拒否メッセージはＳＲＢ０で送信され、ネットワークはＵＥのコンテキストを更新せずにＵＥを拒否してもよい。それゆえ、ＵＥがモビリティＲＮＡＵを実行しようとしたノードは、コンテキストをフェッチしようとさえしないかもしれない。そして、コンテキストがあるノードでページング通知が来た場合、そのノードは、ＵＥの構成されたＲＮＡでＲＡＮページングを試みるかもしれず、それが失敗した場合、ネットワークは実際にＣＮページングを試みるかもしれない。ＲＡＮページングはいずれにせよ失敗するので、新しいＲＮＡに入って拒否されたときに、ネットワークはいずれにせよそれを試行しないかもしれず、ＵＥのＲＡＮページングの監視を継続しないことが有用かもしれない。
【００７３】
他の実施形態では、ネットワークは、拒否メッセージの中に、ＵＥがＲＡＮページングを実行し続けるかどうかについてのＵＥへのインジケーションを含めることができる。このインジケーションは、基本的には、ＵＥのコンテキストを持つノードがセルレベルでＵＥの位置を認識していることをＵＥに示す方法である。
【００７４】
いくつかの実施形態では、ＵＥは、ネットワークからのＵＥを拒否するメッセージの受信に関する情報を記憶する。拒否に関する情報は、例えば、以下を含むことができる：
−拒否された各試行でインクリメントされるカウンタ。カウンタは、原因値ごとに特定のもの（すなわち、周期的ＲＮＡＵのための特定のもの）であってもよい。
−ＵＥが拒否された正確な場所、例えば、各拒否された試行のためのＰＣＩおよび／またはセル識別子および／またはグローバルセル識別子および／またはＰＬＭＮを報告に追加する。
【００７５】
上記の情報は、異なる方法で使用することができる。例えば、格納された情報から報告を作成し、ＵＥがＲＲＣコネクテッドに入ったときにネットワークに報告することができる。別の使用法は、Ｔ３０２が実行されている間にＲＮＡＵがトリガされた場合、ＲＮＡＵのフラストレーションされた試行の数に応じて、アクセス制御機能がＵＥにＲＮＡＵで再開要求を送信することを許可してもよいように、情報をアクセス制御機能への入力として使用することであり得る。
【００７６】
他の実施形態では、保護メカニズムが定義されており、ここで、ネットワーク拒否に続くＸ回（ここで、Ｘは標準によって固定されているか、または構成可能である）のＲＮＡＵ試行の後に、ＵＥが異なる動作を実行する。
−１つの変形例では、ＵＥは、ＵＥコンテキストを破棄し、上位層および／またはＲＲＣ層に通知する。そして、ＵＥがネットワークに再びアクセスできるようになった直後（例えば、Ｔ３０２の満了時やセル再選択時など）に、ＵＥはＮＡＳリカバリを実行する。
−別の変形例では、ＵＥは、周波数間セル再選択またはＲＡＴ間セル再選択を実行し、周期的ＲＮＡＵを実行しようとする。
【００７７】
上述した技術のいくつかは、以下のようにＮＲ＿ＲＲＣ仕様で実装されてもよい。まず、周期的ＲＮＡＵタイマが再起動されるアプローチは、以下にしたがって実施されてもよい：
【００７８】
2021522707.tif 000009
【００７９】
モビリティＲＮＡＵが保留になる実施形態は、以下にしたがって実施されてもよい：
【００８０】
2021522707.tif 000010
2021522707.tif 000011
2021522707.tif 000012
【００８１】
拒否時に、ＵＥが上位層に通知し、Ｔ３０２の満了時点でＵＥがトラッキングエリア更新を実行する実施形態は、以下のように実装されていてもよい：
【００８２】
2021522707.tif 000013
2021522707.tif 000014
2021522707.tif 000015
【００８３】
図７は、様々な実施形態に従った、３ＧＰＰ型セルラーネットワークなどの通信ネットワーク７１０を含む通信システムを示しており、この通信システムは、ｇＮＢ−ＲＡＮなどのアクセスネットワーク７１１と、コアネットワーク７１４（例えば、５ＧＣ）とを含む。アクセスネットワーク７１１は、ｇＮＢまたは他のタイプの無線アクセスポイントのような複数の基地局７１２ａ、７１２ｂ、７１２ｃを含み、それぞれが対応するカバレッジエリア７１３ａ、７１３ｂ、７１３ｃを定義する。各基地局７１２ａ、７１２ｂ、７１２ｃは、有線または無線接続７１５を介してコアネットワーク７１４に接続可能である。カバレッジエリア７１３ｃに位置する第１のユーザ装置（ＵＥ）７９１は、対応する基地局７１２ｃに無線で接続するか、またはページングされるように構成されている。カバレッジエリア７１３ａ内の第２のＵＥ７９２は、対応する基地局７１２ａに無線で接続可能である。複数のＵＥ７９１，７９２がこの例で図示されているが、開示された実施形態は、単独のＵＥがカバレッジエリア内にある状況、または単独のＵＥが対応する基地局７１２に接続している状況にも同様に適用可能である。
【００８４】
通信ネットワーク７１０は、それ自体がホストコンピュータ７３０に接続されており、これは、スタンドアロンサーバ、クラウド実装サーバ、分散サーバ、またはサーバファーム内の処理リソースとしてのハードウェアおよび／またはソフトウェアで具現化されていてもよい。ホストコンピュータ７３０は、サービス提供者の所有または制御下にあるか、またはサービス提供者によって、またはサービス提供者に代わって運営されてもよい。通信ネットワーク７１０とホストコンピュータ７３０との間の接続７２１、７２２は、コアネットワーク７１４からホストコンピュータ７３０に直接延びてもよいし、任意の中間ネットワーク７２０を経由してもよい。中間ネットワーク７２０は、公衆ネットワーク、プライベートネットワーク、またはホストネットワークのうちの１つであってもよく、中間ネットワーク７２０は、もしあれば、バックボーンネットワークまたはインターネットであってもよく、特に、中間ネットワーク７２０は、２つ以上のサブネットワーク（図示せず）から構成されていてもよい。
【００８５】
図７の通信システムは、全体として、接続されたＵＥ７９１、７９２のうちの１つとホストコンピュータ７３０との間の接続を可能にする。この接続性は、オーバーザトップ（ＯＴＴ）接続７５０として記述されてもよい。ホストコンピュータ７３０と接続されたＵＥ７９１、７９２は、アクセスネットワーク７１１、コアネットワーク７１４、任意の中間ネットワーク７２０、および可能性のある更なるインフラストラクチャ（図示せず）を中間体として使用して、ＯＴＴ接続７５０を介してデータおよび／またはシグナリングを通信するように構成されている。ＯＴＴ接続７５０は、ＯＴＴ接続７５０が通過する参加通信デバイスがアップリンク通信およびダウンリンク通信のルーティングを知らないという意味で透過的であってもよい。例えば、基地局７１２は、接続されたＵＥ７９１に転送（例えば、ハンドオーバ）されるべきホストコンピュータ７３０から発信されたデータを有する着信ダウンリンク通信の過去のルーティングについて知らされていないかもしれないし、知らされる必要がないかもしれない。同様に、基地局７１２は、ＵＥ７９１からホストコンピュータ７３０に向かって発信するアップリンク通信の将来のルーティングを意識する必要はない。
【００８６】
前の段落で議論されたＵＥ、基地局、およびホストコンピュータの、一実施形態に従った例示的な実施形態が、次に、図８を参照して説明される。通信システム８００において、ホストコンピュータ８１０は、通信システム８００の別の通信装置のインタフェースとの有線または無線接続を設定し、維持するように構成された通信インタフェース８１６を含むハードウェア８１５を構成する。ホストコンピュータ８１０はさらに、ストレージおよび／または処理能力を有していてもよい処理回路８１８を構成する。特に、処理回路８１８は、命令を実行するように適合された１つ以上のプログラマブルプロセッサ、特定用途向け集積回路、フィールドプログラマブルゲートアレイ、またはこれらの組み合わせ（図示せず）から構成されてもよい。ホストコンピュータ８１０は、さらに、ホストコンピュータ８１０に格納されているか、またはホストコンピュータ８１０によってアクセス可能であり、処理回路８１８によって実行可能なソフトウェア８１１を構成する。ソフトウェア８１１は、ホストアプリケーション８１２を含む。ホストアプリケーション８１２は、ＵＥ８３０とホストコンピュータ８１０で終端するＯＴＴ接続８５０を介して接続するＵＥ８３０などのリモートユーザにサービスを提供するために操作可能であってもよい。リモートユーザにサービスを提供する際に、ホストアプリケーション８１２は、ＯＴＴ接続８５０を使用して送信されるユーザデータを提供してもよい。
【００８７】
通信システム８００は、通信システムに提供される基地局８２０をさらに含み、ホストコンピュータ８１０およびＵＥ８３０と通信することを可能にするハードウェア８２５を構成する。ハードウェア８２５は、通信システム８００の別の通信デバイスのインタフェースとの有線または無線接続を設定して維持するための通信インタフェース８２６と、基地局８２０によって提供されるカバーエリア（図８には示されていない）内に位置するＵＥ８３０との少なくとも無線接続８７０を設定して維持するための無線インタフェース８２７とを含んでもよい。通信インタフェース８２６は、ホストコンピュータ８１０との接続８６０を容易にするように構成されてもよい。接続８６０は、直接であってもよいし、電気通信システムのコアネットワーク（図８には示されていない）を通過してもよく、および／または電気通信システムの外の１つ以上の中間ネットワークを通過してもよい。示された実施形態では、基地局８２０のハードウェア８２５は、命令を実行するように適合された１つ以上のプログラマブルプロセッサ、特定用途向け集積回路、フィールドプログラマブルゲートアレイ、またはこれらの組み合わせ（図示せず）から構成されてもよい処理回路８２８をさらに含む。基地局８２０はさらに、内部的に格納された、または外部接続を介してアクセス可能なソフトウェア８２１を有する。
【００８８】
通信システム８００は、既に言及されているＵＥ８３０をさらに含む。そのハードウェア８３５は、ＵＥ８３０が現在位置しているカバレッジエリアにサービスを提供する基地局との無線接続８７０を設定し、維持するように構成された無線インタフェース８３７を含んでもよい。ＵＥ８３０のハードウェア８３５は、さらに処理回路８３８を含み、これは、命令を実行するように適合された１つまたは複数のプログラマブルプロセッサ、特定用途向け集積回路、フィールドプログラマブルゲートアレイ、またはこれらの組み合わせ（図示せず）から構成されてもよい。ＵＥ８３０はさらに、ソフトウェア８３１を含み、このソフトウェア８３１は、ＵＥ８３０内に格納されているか、またはＵＥ８３０によってアクセス可能であり、処理回路８３８によって実行可能である。ソフトウェア８３１は、クライアントアプリケーション８３２を含む。クライアントアプリケーション８３２は、ホストコンピュータ８１０の支援を受けて、ＵＥ８３０を介して人間または非人間のユーザにサービスを提供するために操作可能であってもよい。ホストコンピュータ８１０において、実行するホストアプリケーション８１２は、ＵＥ８３０およびホストコンピュータ８１０で終端するＯＴＴ接続８５０を介して、実行するクライアントアプリケーション８３２と通信してもよい。ユーザにサービスを提供する際に、クライアントアプリケーション８３２は、ホストアプリケーション８１２から要求データを受信し、要求データに応答してユーザデータを提供してもよい。ＯＴＴ接続８５０は、要求データとユーザデータの両方を転送してもよい。クライアントアプリケーション８３２は、提供するユーザデータを生成するためにユーザと対話してもよい。
【００８９】
図８に図示されたホストコンピュータ８１０、基地局８２０、およびＵＥ８３０は、図７の、ホストコンピュータ７３０、基地局７１２ａ、７１２ｂ、７１２ｃのうちの１つ、およびＵＥ７９１、７９２のうちの１つとそれぞれ同一であってもよいことに留意されたい。すなわち、これらのエンティティの内部動作は、図８に示すようなものであってもよく、独立して、周囲のネットワークトポロジーは、図７のものであってもよい。
【００９０】
図８において、ＯＴＴ接続８５０は、任意の中間装置およびこれらの装置を介したメッセージの正確なルーティングを明示的に参照することなく、基地局８２０を介したホストコンピュータ８１０とユーザ装置８３０との間の通信を例示するために、抽象的に描かれている。ネットワークインフラストラクチャは、ルーティングを決定してもよく、それは、ＵＥ８３０から、またはホストコンピュータ８１０を操作するサービスプロバイダから、またはその両方から隠蔽するように構成されてもよい。ＯＴＴ接続８５０がアクティブである間、ネットワークインフラストラクチャはさらに、（例えば、負荷分散の考慮またはネットワークの再構成に基づいて）ルーティングを動的に変更する決定を行ってもよい。
【００９１】
ＵＥ８３０と基地局８２０との間の無線接続８７０は、本開示全体に記載された実施形態の教示に従っている。様々な実施形態のうちの１つ以上は、無線接続８７０が最後のセグメントを形成するＯＴＴ接続８５０を使用して、ＵＥ８３０に提供されるＯＴＴサービスのパフォーマンスを改善する。より詳細には、モビリティＲＮＡ更新に応答してＲＲＣＲｅｊｅｃｔを受信した際の明確なＵＥの動作が定義され、ＲＡＮページングを介した到達性の点でのネットワーク動作を容易にする。また、本技術は、ＵＥが、ネットワークおよび上位層サービスによってもはや到達不可能な状態またはセルで終わることを回避するために使用されてもよい。より一般的には、本明細書に記載されたメカニズムは、ＵＥとネットワークとの間の状態の不一致という点での曖昧さを回避する。これらの実施形態は、ＲＡＮのユーザにとって、より良いおよび／またはより一貫したスループット、および／または遅延の減少などの改善された性能をもたらす。
【００９２】
データレート、遅延、および１つ以上の実施形態が改善する他の要因を監視する目的で、測定手順が提供されてもよい。測定結果の変動に応答して、ホストコンピュータ８１０とＵＥ８３０との間のＯＴＴ接続８５０を再構成するための任意のネットワーク機能がさらに設けられてもよい。測定手順および／またはＯＴＴ接続８５０を再構成するためのネットワーク機能は、ホストコンピュータ８１０のソフトウェア８１１またはＵＥ８３０のソフトウェア８３１に実装されてもよく、またはその両方であってもよい。実施形態では、センサ（図示せず）は、ＯＴＴ接続８５０が通過する通信デバイスに配置されてもよいし、通信デバイスと関連して配置されてもよい；センサは、上で例示された監視される量の値を供給することによって、またはソフトウェア８１１，８３１が監視される量を計算または推定することができる他の物理量の値を供給することによって、測定手順に参加してもよい。ＯＴＴ接続８５０の再構成は、メッセージフォーマット、再送設定、好ましいルーティング等を含んでもよく、再構成は、基地局８２０に影響を与える必要はなく、基地局８２０には知られていないか、または感知できないかもしれない。そのような手順および機能性は、当技術分野で知られており、実践されているかもしれない。特定の実施形態では、測定は、スループット、伝搬時間、レイテンシなどのホストコンピュータ８１０の測定を容易にする独自のＵＥシグナリングを含んでもよい。測定は、ソフトウェア８１１，８３１が伝搬時間、エラーなどを監視している間に、ＯＴＴ接続８５０を使用して、メッセージ、特に空のメッセージまたは「ダミー」メッセージを送信させるように実装されてもよい。
【００９３】
図９は、一実施形態に従った、通信システムに実装された方法を示すフローチャートである。通信システムは、ホストコンピュータ、基地局、および図７および図８を参照して説明したものであってもよいＵＥを含む。本開示を簡単にするために、図９への参照の図面のみを本項に含める。方法の第１のステップ９１０において、ホストコンピュータは、ユーザデータを提供する。第１のステップ９１０のオプションのサブステップ９１１では、ホストコンピュータは、ホストアプリケーションを実行してユーザデータを提供する。第２のステップ９２０では、ホストコンピュータは、ユーザデータをＵＥに搬送する送信を開始する。オプションの第３のステップ９３０では、基地局は、本開示全体に記載される実施形態の教示に従って、ホストコンピュータが開始した送信で搬送されたユーザデータをＵＥに送信する。オプションの第４のステップ９４０において、ＵＥは、ホストコンピュータによって実行されたホストアプリケーションに関連付けられたクライアントアプリケーションを実行する。
【００９４】
図１０は、一実施形態に従った、通信システムに実装された方法を示すフローチャートである。通信システムは、ホストコンピュータ、基地局、および図７および図８を参照して説明したものであってもよいＵＥを含む。本開示を簡単にするために、図１０への参照の図面のみを本項に含める。方法の第１のステップ１０１０において、ホストコンピュータは、ユーザデータを提供する。オプションのサブステップ（図示せず）では、ホストコンピュータは、ホストアプリケーションを実行することにより、ユーザデータを提供する。第２のステップ１０２０では、ホストコンピュータは、ユーザデータをＵＥに搬送する送信を開始する。送信は、本開示全体に記載された実施形態の教示に従って、基地局を経由してもよい。オプションの第３のステップ１０３０では、ＵＥは、送信で搬送されたユーザデータを受信する。
【００９５】
図１１は、一実施形態に従って、通信システムに実装された方法を示すフローチャートである。通信システムは、ホストコンピュータ、基地局、および図７および図８を参照して説明したものであってもよいＵＥを含む。本開示を簡単にするために、図１１への参照の図面のみを本項に含める。方法のオプションの第１のステップ１１１０において、ＵＥは、ホストコンピュータによって提供される入力データを受信する。さらに、または代替的に、オプションの第２のステップ１１２０において、ＵＥは、ユーザデータを提供する。第２のステップ１１２０のオプションのサブステップ１１２１において、ＵＥは、クライアントアプリケーションを実行することにより、ユーザデータを提供する。第１のステップ１１２０のさらにオプションのサブステップ１１１１において、ＵＥは、ホストコンピュータによって提供された受信入力データに応答してユーザデータを提供するクライアントアプリケーションを実行する。ユーザデータを提供する際に、実行されるクライアントアプリケーションは、ユーザから受信したユーザ入力をさらに考慮してもよい。ユーザデータが提供された特定の方法にかかわらず、ＵＥは、オプションの第３のサブステップ１１３０において、ホストコンピュータへのユーザデータの送信を開始する。方法の第４のステップ１１４０において、ホストコンピュータは、本開示全体に記載された実施形態の教示に従って、ＵＥから送信されたユーザデータを受信する。
【００９６】
図１２は、一実施形態に従った、通信システムに実装された方法を示すフローチャートである。通信システムは、ホストコンピュータ、基地局、および図７および図８を参照して説明したものであってもよいＵＥを含む。本開示を簡単にするために、図１２への参照の図面のみを本項に含める。本開示全体に記載された実施形態の教示に従って、方法のオプションの第１のステップ１２１０において、基地局は、ＵＥからユーザデータを受信する。オプションの第２のステップ１２２０では、基地局は、受信したユーザデータのホストコンピュータへの送信を開始する。第３のステップ１２３０では、ホストコンピュータは、基地局によって開始された送信で搬送されたユーザデータを受信する。
【００９７】
図１３は、基地局として動作するように構成されてもよい例示的なネットワークノード３０を示すブロック図である。ネットワークノード３０は、説明した技術を実行するクラウドベースのシステム内の複数のネットワークノードのうちの１つであってもよい。ネットワークノード３０は、例えば、ｅＮＢまたは５ＧのｇＮＢであってもよい。ネットワークノード３０は、アンテナ３４および送受信機回路３６を介して実装されたダウンリンク送信およびアップリンク受信のための無線デバイス、例えば５Ｇエアインタフェースを提供する。送受信機回路３６は、セルラー通信、または必要に応じてＷＬＡＮサービスを提供する目的で、無線アクセス技術に従って信号を送受信するように集合的に構成された送信回路、受信回路、および関連する制御回路を含む。様々な実施形態によれば、セルラー通信サービスは、３ＧＰＰセルラー規格、ＧＳＭ、ＧＰＲＳ、ＷＣＤＭＡ、ＨＳＤＰＡ、ＬＴＥ、ＬＴＥ−Ａｄｖａｎｄａｎｄ、および５Ｇのうちの任意の１つ以上に従って動作してもよい。ネットワークノード３０はまた、コアネットワーク内のノード、他のピア無線ノード、および／またはネットワーク内の他のタイプのノードと通信するための通信インタフェース回路３８を含む。
【００９８】
ネットワークノード３０はまた、通信インタフェース回路３８および／または送受信機回路３６を制御するように動作的に関連し、構成されている１つまたは複数の処理回路３２を含む。処理回路３２は、１つ以上のデジタルプロセッサ４２、例えば、１つ以上のマイクロプロセッサ、マイクロコントローラ、デジタルシグナルプロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはそれらの任意の組み合わせで構成される。より一般的には、処理回路３２は、固定回路、または本明細書で教示された機能を実装するプログラム命令の実行を介して特別に構成されたプログラマブル回路から構成されてもよく、または固定回路とプログラマブル回路のいくつかの組み合わせから構成されてもよい。プロセッサ４２は、マルチコアであってもよい。
【００９９】
処理回路３２はまた、メモリ４４を含む。メモリ４４は、いくつかの実施形態では、１つまたは複数のコンピュータプログラム４６、およびオプションでは、構成データ４８を記憶する。メモリ４４は、コンピュータプログラム４６のための非一時的記憶装置を提供し、それは、ディスク記憶装置、ソリッドステート記憶装置、またはそれらの任意の組み合わせなどの１種以上のコンピュータ可読媒体を構成してもよい。非限定的な例として、メモリ４４は、ＳＲＡＭ、ＤＲＡＭ、ＥＥＥＰＲＯＭ、及びＦＬＡＳＨメモリのうちの任意の１つ以上を構成してもよく、これらは、処理回路３２内にあってもよく、及び／又は処理回路３２とは別個にあってもよい。一般に、メモリ４４は、コンピュータプログラム４６およびネットワークノード３０によって使用される任意の構成データ４８の非一時的記憶を提供する１種類以上のコンピュータ可読記憶媒体を含む。ここで、「非一時的」とは、永久的、半永久的、または少なくとも一時的に永続的なストレージを意味し、不揮発性メモリ内の長期ストレージと、例えばプログラム実行のためのワーキングメモリ内のストレージの両方を包含する。
【０１００】
いくつかの実施形態では、無線ネットワークに接続された１つ以上のネットワークノード３０の処理回路３２は、本明細書に記載された技術において、無線ネットワークに関してエリア更新報告を処理するための動作を実行するように構成されている。
【０１０１】
図１４は、測定構成を扱うための無線デバイスに関して本明細書に記載された技術を実行するように構成された対応する無線デバイス５０の例を示す。無線デバイス５０は、様々な文脈において、無線通信デバイス、ＵＥ、ターゲットデバイス、デバイス間（Ｄ２Ｄ）ＵＥ、マシンタイプＵＥ、またはマシン間（Ｍ２Ｍ）通信が可能なＵＥと呼ばれることもある。センサを搭載したＵＥ、ＰＤＡ（パーソナルデジタルアシスタント）、無線タブレット、携帯端末、スマートフォン、ラップトップ内蔵機器（ＬＥＥ）、ラップトップ搭載機器（ＬＭＥ）、無線ＵＳＢドングル、顧客構内機器（ＣＰＥ）などである。
【０１０２】
無線デバイス５０は、アンテナ５４および送受信機回路５６を介して、１つまたは複数のネットワークノード３０などの１つまたは複数の無線ノードまたは基地局と通信する。送受信機回路５６は、セルラー通信サービスを提供する目的で、無線アクセス技術に従って信号を送受信するように集合的に構成された送信回路、受信回路、および関連する制御回路を含んでもよい。
【０１０３】
無線デバイス５０はまた、無線の送受信機回路５６に動作的に関連し、制御する１つ以上の処理回路５２を含む。処理回路５２は、１つまたは複数のデジタル処理回路、例えば、１つまたは複数のマイクロプロセッサ、マイクロコントローラ、ＤＳＰ、ＦＰＧＡ、ＣＰＬＤ、ＡＳＩＣ、またはそれらの任意の組み合わせからなる。より一般的には、処理回路５２は、固定回路、または本明細書で教示される機能を実装するプログラム命令の実行を介して特別に適合されたプログラム可能回路を構成してもよく、または固定回路とプログラム回路のいくつかの混合物を構成してもよい。処理回路５２は、マルチコアであってもよい。
【０１０４】
処理回路５２はまた、メモリ６４を含む。メモリ６４は、いくつかの実施形態では、１つまたは複数のコンピュータプログラム６６、およびオプションでは、構成データ６８を記憶する。メモリ６４は、コンピュータプログラム６６のための非一時的記憶装置を提供し、それは、ディスク記憶装置、ソリッドステート記憶装置、またはそれらの任意の混合物などの１種以上のコンピュータ可読媒体を構成してもよい。非限定的な例として、メモリ６４は、ＳＲＡＭ、ＤＲＡＭ、ＥＥＰＲＯＭ、及びＦＬＡＳＨメモリのうちの任意の１つ以上を構成し、これらは、処理回路５２内にあってもよく、及び／又は処理回路５２とは別個にあってもよい。一般に、メモリ６４は、コンピュータプログラム６６および無線デバイス５０によって使用される任意の構成データ６８の非一時的記憶を提供する１種以上のコンピュータ可読記憶媒体を含む。
【０１０５】
したがって、いくつかの実施形態では、無線デバイス５０の処理回路５２は、無線ネットワーク内で動作し、エリア更新報告を処理するように構成されている。処理回路５２は、無線デバイスが無線デバイス用に構成されたＲＮＡに属さないセルに入ったことを検出することに応答して、ＲＮＡＵを開始するように構成される。処理回路５２はまた、無線ネットワークから、無線デバイスがＲＮＡＵを実行しようとする試行が拒否されたことを示すメッセージを受信するように構成されている。メッセージは、待機時間値が適用可能であることを示すインジケーションを含むか、またはそれを伴う。処理回路５２はまた、メッセージに応答して、拒否待機タイマを待機時間値に設定し、拒否待機タイマが満了すると、ＲＲＣ接続状態からＲＲＣインアクティブ状態に入ることにより、ＲＮＡＵを実行するように構成されている。
【０１０６】
図１５は、エリア更新報告を処理するために無線デバイス５０に実装された対応する方法１５００を示す処理フロー図である。方法１５００は、無線デバイスが無線デバイス用に構成されたＲＮＡに属さないセルに入ったことを検出することに応答して、ＲＮＡＵを開始すること（ブロック１５０２）を含む。方法１５００は、無線ネットワークから、無線デバイスがＲＮＡＵを実行しようとする試行が拒否されたことを示すメッセージを受信することを（ブロック１５０４）含み、このメッセージは、待機時間値が適用可能であることを示すインジケーションを含むか、またはそれを伴う。方法１５００はまた、メッセージに応答して、拒否待機タイマを待機時間値に設定し（ブロック１５０６）、拒否待機タイマが満了するとＲＮＡＵを実行すること（ブロック１５０８）を含む。いくつかの実施形態では、無線デバイスはまた、メッセージに応答して、周期的ＲＮＡＵタイマを待機時間値に設定し、拒否待機タイマおよび周期的ＲＮＡＵタイマの満了時にＲＮＡＵを実行する。
【０１０７】
いくつかの実施形態では、無線デバイスは無線リソース接続（ＲＲＣ）インアクティブ状態にあり、ＲＮＡＵを開始することは、ＲＲＣ接続を再開するための要求を送信することを含む。メッセージは、ＲＲＣＲｅｓｕｍｅＲｅｊｅｃｔメッセージまたはＲＲＣＲｅｌｅａｓｅメッセージを含んでもよい。
【０１０８】
いくつかの実施形態では、拒否待機タイマは３ＧＰＰによって指定されたＴ３０２タイマであり、周期的ＲＮＡＵタイマは３ＧＰＰによって指定されたＴ３８０タイマである。
【０１０９】
いくつかの実施形態では、方法は、拒否待機タイマが実行されている間、保留通知としてのＲＮＡＵを追跡することをさらに含む。いくつかの実施形態では、周期的ＲＮＡＵタイマを待機時間値に設定することは、周期的ＲＮＡＵタイマが待機時間値に設定されるべきであるというメッセージ内のインジケーションに応答してもよい。無線デバイスは、拒否待機タイマの満了前に、セル再選択時にＲＮＡＵ更新を実行することを控えてもよい。
【０１１０】
いくつかの実施形態によれば、無線デバイス５０は、エリア更新報告を処理するための別の方法を実行するように構成されている。この場合、処理回路５２は、無線デバイスが、無線デバイスのために構成されたＲＮＡに属しておらず、かつ無線デバイスのために構成されたトラッキングエリアに属していないセルに入ったことを検出することに応答して、組み合わされたＲＮＡＵおよびＴＡＵを開始するように構成されている。処理回路５２はまた、無線ネットワークから、組み合わされたＲＮＡＵおよびＴＡＵを実行しようとする無線デバイスの試行が拒否されたことを示すメッセージを受信するように構成されており、このメッセージは、待機時間値が適用可能であることを示すインジケーションを含んでいるか、またはそれを伴っている。処理回路５２は、メッセージに応答して、拒否待機タイマを待機時間値に設定し、その後、拒否待機タイマの満了前にセル再選択を実行するように構成されている。処理回路５２は、セル再選択に続いて、直ちにＴＡＵを実行するように構成されている。
【０１１１】
処理回路５２はまた、いくつかの実施形態によれば、対応する方法１６００を実行するように構成されている。図１６に示す方法１６００は、無線デバイスが、無線デバイスのために構成されたＲＮＡに属しておらず、かつ無線デバイスのために構成されたトラッキングエリアに属していないセルに入ったことを検出することに応答して、組み合わされたＲＮＡＵおよびＴＡＵを開始すること（ブロック１６０２）を含む。方法１６００は、無線ネットワークから、無線デバイスが組み合わされたＲＮＡＵとＴＡＵを実行しようとする試行が拒否されたことを示すメッセージを受信すること（ブロック１６０４）を含み、このメッセージは、待機時間値が適用可能であることを示すインジケーションを含んでいるか、またはそれを伴っている。方法１６００はまた、メッセージに応答して、拒否待機タイマを待機時間値に設定すること（ブロック１６０６）を含む。方法１６００は、拒否待機タイマの満了前に、セル再選択をその後に実行し（ブロック１６０８）、セル再選択に続いて直ちにＴＡＵを実行すること（ブロック１６１０）をさらに含む。
【０１１２】
いくつかの実施形態によれば、無線デバイス５０は、エリア更新報告を処理するための別の方法を実行するように構成されている。この場合、処理回路５２は、無線デバイスが無線デバイス用に構成されたＲＮＡに属さないセルに入ったことを検出することに応答して、ＲＮＡＵを開始するように構成される。処理回路５２は、無線ネットワークから、無線デバイスがＲＮＡＵを実行しようとする試行が拒否されたことを示すメッセージを受信するように構成されており、このメッセージは、待機時間値が適用可能であることを示すインジケーションを含むか、またはそれを伴っている。処理回路５２は、メッセージに応答して、拒否待機タイマを待機時間値に設定し、無線デバイスのＲＲＣ層に拒否を通知するようにさらに構成される。いくつかの実施形態では、処理回路５２は、メッセージに応答して、周期的ＲＮＡＵタイマをデフォルト値に設定するようにさらに構成される。
【０１１３】
処理回路５２はまた、いくつかの実施形態によれば、対応する方法１７００を実行するように構成されている。図１７に示す方法１７００は、無線デバイスが無線デバイス用に構成されたＲＮＡに属さないセルに入ったことを検出することに応答して、ＲＮＡＵを開始すること（ブロック１７０２）を含む。方法１７００はさらに、無線ネットワークから、無線デバイスがＲＮＡＵを実行しようとする試行が拒否されたことを示すメッセージを受信すること（ブロック１７０４）を含み、このメッセージは、待機時間値が適用可能であることを示すインジケーションを含んでいるか、またはそれを伴っている。方法１７００は、メッセージに応答して、拒否待機タイマを待機時間値に設定し、無線デバイスのＲＲＣ層に拒否を通知すること（ブロック１７０６）をさらに含む。いくつかの実施形態では、方法は、メッセージに応答して、周期的ＲＮＡＵタイマをデフォルト値に設定することをさらに含む。
【０１１４】
いくつかの実施形態によれば、無線デバイス５０は、エリア更新報告を処理するためのさらに別の方法を実行するように構成されている。この場合、処理回路５２は、無線デバイスが無線デバイス用に構成されたＲＮＡに属さないセルに入ったことを検出することに応答して、ＲＮＡＵを開始するように構成される。処理回路５２はまた、無線ネットワークから、ＲＮＡＵを実行しようとする無線デバイスの試行が拒否されたことを示すメッセージを受信するように構成されており、このメッセージは、待機時間値が適用可能であることを示すインジケーションを含んでいるか、またはそれを伴うように構成されている。処理回路５２は、メッセージに応答して、拒否されたＲＮＡＵを保留通知として追跡し、拒否されたＲＮＡＵが許可されるとすぐに、および／または特定の条件が満たされるとすぐに再試行されるように構成される。
【０１１５】
処理回路５２はまた、いくつかの実施形態によれば、対応する方法１８００を実行するように構成されている。図１８に示す方法１８００は、無線デバイスが無線デバイス用に構成されたＲＮＡに属さないセルに入ったことを検出することに応答して、ＲＮＡＵを開始すること（ブロック１８０２）を含む。方法１８００はさらに、無線ネットワークから、無線デバイスがＲＮＡＵを実行しようとする試行が拒否されたことを示すメッセージを受信すること（ブロック１８０４）を含み、このメッセージは、待機時間値が適用可能であることを示すインジケーションを含むか、またはそれを伴う。方法１８００は、メッセージに応答して、拒否されたＲＮＡＵを保留通知として追跡すること（ブロック１８０６）をさらに含み、拒否されたＲＮＡＵが許可されるとすぐに、および／または特定の条件が満たされるとすぐに再試行されるようにする。
【０１１６】
方法１８００は、拒否された待機タイマの満了に応答して、拒否されたＲＮＡＵを再度試行することをさらに含んでもよい。拒否されたＲＮＡＵを試行することは、拒否待機タイマが満了したときに、無線デバイスが無線デバイスのために構成されたＲＮＡの外側のセル上にまだキャンプしていると決定することに応答することをさらに含んでもよい。拒否されたＲＮＡＵの試行は、拒否されたＲＮＡＵが組み合わされたＲＮＡＵとＴＡＵであると決定することにさらに応答してもよい。
【０１１７】
いくつかの実施形態では、方法１８００は、セル再選択に応答して、拒否されたＲＮＡＵを再度試行することを含んでもよい。拒否されたＲＮＡＵを試行することは、セル再選択が無線デバイス用に構成されたＲＮＡＵにないセルに対するものであると決定することに応答することをさらに含んでもよい。拒否されたＲＮＡＵを試みることは、拒否されたＲＮＡＵが組み合わされたＲＮＡＵとＴＡＵであると決定することにさらに応答してもよい。
【０１１８】
いくつかの実施形態では、拒否されたＲＮＡＵを再度試行することは、無線ネットワークへのＲＲＣ接続を再開するための要求を送信することを含み、ＲＲＣ接続を再開するための要求は、ＲｅｓｕｍｅＲＲＣＣｏｎｎｅｃｔｉｏｎメッセージが保留通知に対応することを示す。
【０１１９】
他の実施形態では、無線デバイスはＲＲＣインアクティブ状態にあり、ＲＮＡＵを開始することは、ＲＲＣ接続を再開するための要求を送信することからなる。メッセージは、ＲＲＣＲｅｓｕｍｅＲｅｊｅｃｔメッセージまたはＲＲＣＲｅｌｅａｓｅメッセージを含んでもよい。
【０１２０】
方法１８００は、メッセージを受信した後、格納された構成に従って無線アクセスネットワーク（ＲＡＮ）ページングを監視し続けることを含んでもよい。また、方法１８００は、メッセージを受信した後に、コアネットワーク（ＣＮ）ページングのみを監視することを含んでもよい。
【０１２１】
上で詳細に論じたように、本明細書に記載された技術、例えば図１５〜図１８の処理フロー図に示されているように、１つ以上のプロセッサによって実行されるコンピュータプログラム命令を使用して、全体または部分的に実装されてもよい。これらの技術の機能的な実装は、機能モジュールの観点から表現されてもよく、各機能モジュールは、適切なプロセッサで実行されるソフトウェアの機能ユニット、または機能的なデジタルハードウェア回路、またはその両方のいくつかの組み合わせに対応している。
【０１２２】
図１９は、無線デバイス５０に実装される可能性のある例示的な機能モジュールまたは回路アーキテクチャを示す。実施形態は、無線デバイスが無線デバイス用に構成されたＲＮＡに属さないセルに入ったことを検出することに応答して、ＲＮＡＵを開始するための開始モジュール１９０２を含む。実施形態はまた、無線ネットワークから、無線デバイスのＲＮＡＵの実行の試行が拒否されたことを示すメッセージを受信するための受信モジュール１９０４を含み、このメッセージは、待機時間値が適用可能であることを示すインジケーションを含んでいるか、またはそれを伴っている。実施形態はまた、メッセージに応答して、拒否待機タイマおよび周期的ＲＮＡＵタイマの両方を待機時間値に設定するための設定モジュール１９０６と、拒否待機タイマおよび周期的ＲＮＡＵタイマの満了時にＲＮＡＵを実行するための実行モジュール１９０８とを含む。
【０１２３】
別の例示的な実施形態では、開始モジュール１９０２は、無線デバイスが、無線デバイスのために構成されたＲＮＡに属しておらず、無線デバイスのために構成されたトラッキングエリアに属していないセルに入ったことを検出することに応答して、組み合わされたＲＮＡＵとＴＡＵを開始するためのものである。受信モジュール１９０４は、無線ネットワークから、無線デバイスが組み合わされたＲＮＡＵとＴＡＵを実行しようとする試行が拒否されたことを示すメッセージを受信するためのものであり、このメッセージは、待機時間値が適用可能であることを示すインジケーションを含んでいるか、またはそれを伴っている。設定モジュール１９０６は、メッセージに応答して、拒否待機タイマを待機時間値に設定し、周期的ＲＮＡＵタイマを再起動するためのものである。実行モジュール１９０８は、周期的ＲＮＡＵタイマの満了前に、その後セル再選択を実行し、セル再選択に続いて直ちにＴＡＵを実行するためのものである。
【０１２４】
別の例示的な実施形態では、開始モジュール１９０２は、無線デバイスが無線デバイス用に構成されたＲＮＡに属さないセルに入ったことを検出することに応答してＲＮＡＵを開始するためのものであり、受信モジュール１９０４は、無線ネットワークから、無線デバイスによるＲＮＡＵの実行の試行が拒否されたことを示すメッセージを受信するためのものであり、このメッセージは、待機時間値が適用可能であることを示すインジケーションを含むか、またはそれを伴っている。設定モジュール１９０６は、メッセージに応答して、拒否待機タイマを待機時間値に設定し、周期的ＲＮＡＵタイマをデフォルト値に設定し、無線デバイスのＲＲＣ層に拒否を通知するためのものである。
【０１２５】
別の例示的な実施形態では、開始モジュール１９０２は、無線デバイスが無線デバイス用に構成されたＲＮＡに属さないセルに入ったことを検出することに応答して、ＲＮＡＵを開始するためのものである。受信モジュール１９０４は、無線ネットワークから、無線デバイスがＲＮＡＵを実行しようとする試行が拒否されたことを示すメッセージを受信するためのものであり、このメッセージは、待機時間値が適用可能であることを示すインジケーションを含んでいるか、またはそれを伴っている。実施形態はまた、メッセージに応答して、拒否されたＲＮＡＵを保留通知として追跡するための追跡モジュール１９１０を含んでもよく、拒否されたＲＮＡＵが許可されるとすぐに、および／または特定の条件が満たされるとすぐに、再試行するようにする。
【０１２６】
例示的実施形態
本明細書に記載された技術および装置の例示的実施形態には、以下に列挙された例が含まれるが、これらに限定されるものではない。
（ａ）  無線ネットワーク内で動作する無線デバイスにおいて、エリア更新報告を処理するための方法であって、該方法は、
前記無線デバイスに対して構成された無線ネットワークエリア（ＲＮＡ）に属していないセルに該無線デバイスが進入したことを検出することに応答して、無線ネットワークエリア更新（ＲＮＡＵ）を開始することと、
前記無線デバイスの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマおよび周期的ＲＮＡＵタイマの両方を前記待機時間値に設定することと、
前記拒否待機タイマおよび前記周期的ＲＮＡＵタイマが満了すると前記ＲＮＡＵを実行することと、
を含む方法。
（ｂ）  前記無線デバイスは、無線リソース接続（ＲＲＣ）インアクティブ状態にあり、
ＲＮＡＵを前記開始することは、ＲＲＣ接続を再開するための要求を送信することを含む
例示的実施形態（ａ）に記載の方法。
（ｃ）  前記メッセージは、ＲＲＣＲｅｓｕｍｅＲｅｊｅｃｔメッセージまたはＲＲＣＲｅｌｅａｓｅメッセージを含む
例示的実施形態（ｂ）に記載の方法。
（ｄ）  前記拒否待機タイマは、第三世代パートナーシッププロジェクト（３ＧＰＰ）により指定されたＴ３０２タイマであり、前記周期的ＲＮＡＵタイマは、３ＧＰＰにより指定されたＴ３８０タイマである
例示的実施形態（ａ）乃至（ｃ）の何れかに記載の方法。
（ｅ）  前記周期的ＲＮＡＵタイマを前記待機時間値に設定することは、前記周期的ＲＮＡＵタイマが前記待機時間値に設定されるという前記メッセージ内の指示に応答している
例示的実施形態（ａ）乃至（ｄ）の何れかに記載の方法。
（ｆ）  前記無線デバイスは、前記拒否待機タイマの満了前のセル再選択時にはＲＮＡＵ更新を実行することを控える
例示的実施形態（ａ）乃至（ｅ）の何れかに記載の方法。
（ｇ）  無線ネットワーク内で動作する無線デバイスにおいて、エリア更新報告を処理するための方法であって、該方法は、
前記無線デバイスに対して構成された無線ネットワークエリア（ＲＮＡ）に属しておらずかつ前記無線デバイスに対して構成されたトラッキングエリアに属していないセルに該無線デバイスが進入したことを検出することに応答して、組み合わされた無線ネットワークエリア更新（ＲＮＡＵ）およびトラッキングエリア更新（ＴＡＵ）を開始することと、
前記無線デバイスの前記組み合わされたＲＮＡＵおよびＴＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマを前記待機時間値に設定し、周期的ＲＮＡＵタイマを再起動することと、
続いて、前記周期的ＲＮＡＵタイマの満了の前にセル再選択を実行することと、
前記セル再選択に続いて、直ちにＴＡＵを実行することと、
を含む方法。
（ｈ）  無線ネットワーク内で動作する無線デバイスにおいて、エリア更新報告を処理するための方法であって、該方法は、
前記無線デバイスに対して構成された無線ネットワークエリア（ＲＮＡ）に属していないセルに該無線デバイスが進入したことを検出することに応答して、無線ネットワークエリア更新（ＲＮＡＵ）を開始することと、
前記無線デバイスの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマを前記待機時間値に設定し、周期的ＲＮＡＵタイマをデフォルト値に設定し、前記無線デバイスのＲＲＣ層に前記拒否を通知することと、
を含む方法。
（ｉ）  無線ネットワーク内で動作する無線デバイスにおいて、エリア更新報告を処理するための方法であって、該方法は、
前記無線デバイスに対して構成された無線ネットワークエリア（ＲＮＡ）に属していないセルに該無線デバイスが進入したことを検出することに応答して、無線ネットワークエリア更新（ＲＮＡＵ）を開始することと、
前記無線デバイスの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、許可されるとすぐにおよび／または特定の条件が満たされるとすぐに前記拒否されたＲＮＡＵが再び試行されるようにするために、前記拒否されたＲＮＡＵを保留通知として追跡することと、
を含む方法。
（ｊ）  拒否待機タイマの満了に応答して、前記拒否されたＲＮＡＵを再び試行することをさらに含む
例示的実施形態（ｉ）に記載の方法。
（ｋ）  前記拒否されたＲＮＡＵを試行することは、前記拒否待機タイマが満了したときに前記無線デバイスに対して構成されたＲＮＡの外側のセル上に前記無線デバイスがまだキャンプしていることを決定することにさらに応答している
例示的実施形態（ｊ）に記載の方法。
（ｌ）  前記拒否されたＲＮＡＵを試行することは、前記拒否されたＲＮＡＵが組み合わされたＲＮＡＵおよびトラッキングエリア更新（ＴＡＵ）であると決定することにさらに応答している
例示的実施形態（ｊ）または（ｋ）に記載の方法。
（ｍ）  セル再選択に応答して、前記拒否されたＲＮＡＵを試行することをさらに含む
例示的実施形態（ｉ）に記載の方法。
（ｎ）  前記拒否されたＲＮＡＵを試行することは、前記セル再選択が前記無線デバイスに対して構成された前記ＲＮＡＵ内に無いセルへのものであると決定することにさらに応答している
例示的実施形態（ｍ）に記載の方法。
（ｏ）  前記拒否されたＲＮＡＵを試行することは、前記拒否されたＲＮＡＵが組み合わされたＲＮＡＵおよびトラッキングエリア更新（ＴＡＵ）であると決定することにさらに応答している
例示的実施形態（ｍ）または（ｎ）に記載の方法。
（ｐ）  前記拒否されたＲＮＡＵを再び試行することは、前記無線ネットワークへのＲＲＣ接続を再開するための要求を送信することを含み、ＲＲＣ接続を再開するための前記要求は、ＲｅｓｕｍｅＲＲＣＣｏｎｎｅｃｔｉｏｎメッセージが保留通知に対応していることを示す
例示的実施形態（ｊ）乃至（ｏ）の何れかに記載の方法。
（ｑ）  前記無線デバイスは、無線リソース接続（ＲＲＣ）インアクティブ状態にあり、
ＲＮＡＵを前記開始することは、ＲＲＣ接続を再開するための要求を送信することを含む
例示的実施形態（ｉ）乃至（ｐ）の何れかに記載の方法。
（ｒ）  前記メッセージは、ＲＲＣＲｅｓｕｍｅＲｅｊｅｃｔメッセージまたはＲＲＣＲｅｌｅａｓｅメッセージを含む
例示的実施形態（ｑ）に記載の方法。
（ｓ）  前記メッセージの受信に続いて、格納された構成に従って無線アクセスネットワーク（ＲＡＮ）ページングの監視を継続することをさらに含む
例示的実施形態（ａ）乃至（ｑ）の何れかに記載の方法。
（ｔ）  前記メッセージの受信に続いて、コアネットワーク（ＣＮ）ページングのみを監視することをさらに含む
例示的実施形態（ａ）乃至（ｑ）の何れかに記載の方法。
（ｕ）  例示的実施形態（ａ）乃至（ｔ）の何れかに記載の方法を実行するのに適合した、無線デバイス。
（ｖ）  送受信機回路と該送受信機回路に動作可能に関連付けられた処理回路とを有し、例示的実施形態（ａ）乃至（ｔ）の何れかに記載の方法を実行するように構成された、無線デバイス。
（ｗ）  少なくとも１つの処理回路により実行されたとき、該少なくとも１つの処理回路に、例示的実施形態（ａ）乃至（ｔ）の何れかに記載の方法を実行させる命令を含む、コンピュータプログラム。
（ｘ）  例示的実施形態（ｗ）に記載のコンピュータプログラムを含むキャリアであって、該キャリアは、電気信号、光信号、無線信号、またはコンピュータ可読記憶媒体のうちの１つである、キャリア。
（ｙ）  ホストコンピュータを含む通信システムであって、該ホストコンピュータは、ユーザデータを提供するように構成された処理回路と、無線ネットワーク内で動作するユーザ装置（ＵＥ）に送信するために、ユーザデータをセルラーネットワークに転送するように構成された通信インタフェースであって、前記ＵＥは無線インタフェースと処理回路とを含み、該ＵＥの処理回路は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始し、
前記ＵＥの前記ＲＮＡＵの実行の試行が拒否されたことを示すメッセージを前記無線ネットワークから受信し、前記メッセージは待機時間値が適用可能であることを示すインジケーションを含むかまたは伴い、
前記メッセージに応答して、拒否待機タイマおよび周期的ＲＮＡＵタイマの両方を前記待機時間値に設定し、
前記拒否待機タイマおよび前記周期的ＲＮＡＵタイマが満了すると前記ＲＮＡＵを実行する
ように構成される
通信システム。
（ｚ）  ホストコンピュータを含む通信システムであって、該ホストコンピュータは、ユーザデータを提供するように構成された処理回路と、無線ネットワーク内で動作するユーザ装置（ＵＥ）に送信するために、ユーザデータをセルラーネットワークに転送するように構成された通信インタフェースであって、前記ＵＥは無線インタフェースと処理回路とを含み、該ＵＥの処理回路は、
前記ＵＥに対して構成された無線ネットワークエリア（ＲＮＡ）に属しておらずかつ前記ＵＥに対して構成されたトラッキングエリアに属していないセルに該ＵＥが進入したことを検出することに応答して、組み合わされた無線ネットワークエリア更新（ＲＮＡＵ）およびトラッキングエリア更新（ＴＡＵ）を開始し、
前記ＵＥの前記組み合わされたＲＮＡＵおよびＴＡＵの実行の試行が拒否されたことを示すメッセージを前記無線ネットワークから受信し、前記メッセージは待機時間値が適用可能であることを示すインジケーションを含むかまたは伴い、
前記メッセージに応答して、拒否待機タイマを前記待機時間値に設定し、周期的ＲＮＡＵタイマを再起動し、
続いて、前記周期的ＲＮＡＵタイマの満了の前にセル再選択を実行し、
前記セル再選択に続いて、直ちにＴＡＵを実行する
ように構成される
通信システム。
（ａａ）  ホストコンピュータを含む通信システムであって、該ホストコンピュータは、ユーザデータを提供するように構成された処理回路と、無線ネットワーク内で動作するユーザ装置（ＵＥ）に送信するために、ユーザデータをセルラーネットワークに転送するように構成された通信インタフェースであって、前記ＵＥは無線インタフェースと処理回路とを含み、該ＵＥの処理回路は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始し、
前記ＵＥの前記ＲＮＡＵの実行の試行が拒否されたことを示すメッセージを前記無線ネットワークから受信し、前記メッセージは待機時間値が適用可能であることを示すインジケーションを含むかまたは伴い、
前記メッセージに応答して、拒否待機タイマを前記待機時間値に設定し、周期的ＲＮＡＵタイマをデフォルト値に設定し、前記ＵＥのＲＲＣ層に前記拒否を通知する
ように構成される
通信システム。
（ｂｂ）  ホストコンピュータを含む通信システムであって、該ホストコンピュータは、ユーザデータを提供するように構成された処理回路と、無線ネットワーク内で動作するユーザ装置（ＵＥ）に送信するために、ユーザデータをセルラーネットワークに転送するように構成された通信インタフェースであって、前記ＵＥは無線インタフェースと処理回路とを含み、該ＵＥの処理回路は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始し、
前記ＵＥの前記ＲＮＡＵの実行の試行が拒否されたことを示すメッセージを前記無線ネットワークから受信し、前記メッセージは待機時間値が適用可能であることを示すインジケーションを含むかまたは伴い、
前記メッセージに応答して、許可されるとすぐにおよび／または特定の条件が満たされるとすぐに前記拒否されたＲＮＡＵが再び試行されるようにするために、前記拒否されたＲＮＡＵを保留通知として追跡する
ように構成される
通信システム。
（ｃｃ）  前記ＵＥをさらに含む
例示的実施形態（ｙ）乃至（ｂｂ）の何れかに記載の通信システム。
（ｄｄ）  前記セルラーネットワークは、前記ＵＥと通信するように構成された基地局をさらに含む
例示的実施形態（ｙ）乃至（ｃｃ）の何れかに記載の通信システム。
（ｅｅ）  前記ホストコンピュータの前記処理回路はホストアプリケーションを実行するように構成され、それによりユーザデータを提供し、
前記ＵＥの処理回路は前記ホストアプリケーションに関連付けられたクライアントアプリケーションを実行するように構成される
例示的実施形態（ｙ）乃至（ｄｄ）の何れかに記載の通信システム。
（ｆｆ）  ホストコンピュータと基地局とユーザ装置（ＵＥ）とを含む通信システム内で実施される方法であって、該方法は、
前記ホストコンピュータにおいて、ユーザデータを提供することと、
前記ホストコンピュータにおいて、前記基地局を含む無線ネットワークを介して前記ユーザデータを前記ＵＥに搬送する送信を開始することと、
を含み、前記ＵＥにおいて、前記方法は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始することと、
前記ＵＥの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマおよび周期的ＲＮＡＵタイマの両方を前記待機時間値に設定することと、
前記拒否待機タイマおよび前記周期的ＲＮＡＵタイマが満了すると前記ＲＮＡＵを実行することと、
を含む方法。
（ｇｇ）  ホストコンピュータと基地局とユーザ装置（ＵＥ）とを含む通信システム内で実施される方法であって、該方法は、
前記ホストコンピュータにおいて、ユーザデータを提供することと、
前記ホストコンピュータにおいて、前記基地局を含む無線ネットワークを介して前記ユーザデータを前記ＵＥに搬送する送信を開始することと、
を含み、前記ＵＥにおいて、前記方法は、
前記ＵＥに対して構成された無線ネットワークエリア（ＲＮＡ）に属しておらずかつ前記ＵＥに対して構成されたトラッキングエリアに属していないセルに該ＵＥが進入したことを検出することに応答して、組み合わされた無線ネットワークエリア更新（ＲＮＡＵ）およびトラッキングエリア更新（ＴＡＵ）を開始することと、
前記ＵＥの前記組み合わされたＲＮＡＵおよびＴＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマを前記待機時間値に設定し、周期的ＲＮＡＵタイマを再起動することと、
続いて、前記周期的ＲＮＡＵタイマの満了の前にセル再選択を実行することと、
前記セル再選択に続いて、直ちにＴＡＵを実行することと、
を含む方法。
（ｈｈ）  ホストコンピュータと基地局とユーザ装置（ＵＥ）とを含む通信システム内で実施される方法であって、該方法は、
前記ホストコンピュータにおいて、ユーザデータを提供することと、
前記ホストコンピュータにおいて、前記基地局を含む無線ネットワークを介して前記ユーザデータを前記ＵＥに搬送する送信を開始することと、
を含み、前記ＵＥにおいて、前記方法は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始することと、
前記ＵＥの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマを前記待機時間値に設定し、周期的ＲＮＡＵタイマをデフォルト値に設定し、前記ＵＥのＲＲＣ層に前記拒否を通知することと、
を含む方法。
（ｉｉ）  ホストコンピュータと基地局とユーザ装置（ＵＥ）とを含む通信システム内で実施される方法であって、該方法は、
前記ホストコンピュータにおいて、ユーザデータを提供することと、
前記ホストコンピュータにおいて、前記基地局を含む無線ネットワークを介して前記ユーザデータを前記ＵＥに搬送する送信を開始することと、
を含み、前記ＵＥにおいて、前記方法は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始することと、
前記ＵＥの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、許可されるとすぐにおよび／または特定の条件が満たされるとすぐに前記拒否されたＲＮＡＵが再び試行されるようにするために、前記拒否されたＲＮＡＵを保留通知として追跡することと、
を含む方法。
（ｊｊ）  前記ＵＥにおいて、前記基地局から前記ユーザデータを受信することをさらに含む
例示的実施形態（ｙ）乃至（ｂｂ）の何れかに記載の方法。
（ｋｋ）  ホストコンピュータを含む通信システムであって、該ホストコンピュータは、無線ネットワーク内で動作するユーザ装置（ＵＥ）から基地局への送信に由来するユーザデータを受信するように構成された通信インタフェースを含み、前記ＵＥの処理回路は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始し、
前記ＵＥの前記ＲＮＡＵの実行の試行が拒否されたことを示すメッセージを前記無線ネットワークから受信し、前記メッセージは待機時間値が適用可能であることを示すインジケーションを含むかまたは伴い、
前記メッセージに応答して、拒否待機タイマおよび周期的ＲＮＡＵタイマの両方を前記待機時間値に設定し、
前記拒否待機タイマおよび前記周期的ＲＮＡＵタイマが満了すると前記ＲＮＡＵを実行する
ように構成される
通信システム。
（ｌｌ）  ホストコンピュータを含む通信システムであって、該ホストコンピュータは、無線ネットワーク内で動作するユーザ装置（ＵＥ）から基地局への送信に由来するユーザデータを受信するように構成された通信インタフェースを含み、前記ＵＥの処理回路は、
前記ＵＥに対して構成された無線ネットワークエリア（ＲＮＡ）に属しておらずかつ前記ＵＥに対して構成されたトラッキングエリアに属していないセルに該ＵＥが進入したことを検出することに応答して、組み合わされた無線ネットワークエリア更新（ＲＮＡＵ）およびトラッキングエリア更新（ＴＡＵ）を開始し、
前記ＵＥの前記組み合わされたＲＮＡＵおよびＴＡＵの実行の試行が拒否されたことを示すメッセージを前記無線ネットワークから受信し、前記メッセージは待機時間値が適用可能であることを示すインジケーションを含むかまたは伴い、
前記メッセージに応答して、拒否待機タイマを前記待機時間値に設定し、周期的ＲＮＡＵタイマを再起動し、
続いて、前記周期的ＲＮＡＵタイマの満了の前にセル再選択を実行し、
前記セル再選択に続いて、直ちにＴＡＵを実行する
ように構成される
通信システム。
（ｍｍ）  ホストコンピュータを含む通信システムであって、該ホストコンピュータは、無線ネットワーク内で動作するユーザ装置（ＵＥ）から基地局への送信に由来するユーザデータを受信するように構成された通信インタフェースを含み、前記ＵＥの処理回路は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始し、
前記ＵＥの前記ＲＮＡＵの実行の試行が拒否されたことを示すメッセージを前記無線ネットワークから受信し、前記メッセージは待機時間値が適用可能であることを示すインジケーションを含むかまたは伴い、
前記メッセージに応答して、拒否待機タイマを前記待機時間値に設定し、周期的ＲＮＡＵタイマをデフォルト値に設定し、前記ＵＥのＲＲＣ層に前記拒否を通知する
ように構成される
通信システム。
（ｎｎ）  ホストコンピュータを含む通信システムであって、該ホストコンピュータは、無線ネットワーク内で動作するユーザ装置（ＵＥ）から基地局への送信に由来するユーザデータを受信するように構成された通信インタフェースを含み、前記ＵＥの処理回路は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始し、
前記ＵＥの前記ＲＮＡＵの実行の試行が拒否されたことを示すメッセージを前記無線ネットワークから受信し、前記メッセージは待機時間値が適用可能であることを示すインジケーションを含むかまたは伴い、
前記メッセージに応答して、許可されるとすぐにおよび／または特定の条件が満たされるとすぐに前記拒否されたＲＮＡＵが再び試行されるようにするために、前記拒否されたＲＮＡＵを保留通知として追跡する
ように構成される
通信システム。
（ｏｏ）  前記ＵＥをさらに含む
例示的実施形態（ｋｋ）乃至（ｎｎ）の何れかに記載の通信システム。
（ｐｐ）  前記基地局をさらに含み、該基地局は、前記ＵＥと通信するように構成された無線インタフェースと、前記ＵＥから前記基地局への送信によって搬送された前記ユーザデータを前記ホストコンピュータに転送するように構成された通信インタフェースと、を含む
例示的実施形態（ｋｋ）乃至（ｏｏ）の何れかに記載の通信システム。
（ｑｑ）  前記ホストコンピュータの前記処理回路は、ホストアプリケーションを実行するように構成されており、
前記ＵＥの処理回路は、前記ホストアプリケーションに関連付けられたクライアントアプリケーションを実行するように構成され、それにより、前記ユーザデータを提供する
例示的実施形態（ｋｋ）乃至（ｏｏ）の何れかに記載の通信システム。
（ｒｒ）  前記ホストコンピュータの前記処理回路は、ホストアプリケーションを実行するように構成され、それにより、要求データを提供し、
前記ＵＥの処理回路は、前記ホストアプリケーションに関連付けられたクライアントアプリケーションを実行するように構成され、それにより、前記要求データに応答して前記ユーザデータを提供する
例示的実施形態（ｋｋ）乃至（ｏｏ）の何れかに記載の通信システム。
（ｓｓ）  ユーザ装置（ＵＥ）内で実施される方法であって、
前記ＵＥに対して構成された無線ネットワークエリア（ＲＮＡ）に属していないセルに該ＵＥが進入したことを検出することに応答して、無線ネットワークエリア更新（ＲＮＡＵ）を開始することと、
前記ＵＥの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマおよび周期的ＲＮＡＵタイマの両方を前記待機時間値に設定することと、
前記拒否待機タイマおよび前記周期的ＲＮＡＵタイマが満了すると前記ＲＮＡＵを実行することと、
を含む方法。
（ｔｔ）  無線ネットワーク内で動作するユーザ装置（ＵＥ）内で実施される方法であって、
前記ＵＥに対して構成された無線ネットワークエリア（ＲＮＡ）に属しておらずかつ前記ＵＥに対して構成されたトラッキングエリアに属していないセルに該ＵＥが進入したことを検出することに応答して、組み合わされた無線ネットワークエリア更新（ＲＮＡＵ）およびトラッキングエリア更新（ＴＡＵ）を開始することと、
前記ＵＥの前記組み合わされたＲＮＡＵおよびＴＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマを前記待機時間値に設定し、周期的ＲＮＡＵタイマを再起動することと、
続いて、前記周期的ＲＮＡＵタイマの満了の前にセル再選択を実行することと、
前記セル再選択に続いて、直ちにＴＡＵを実行することと、
を含む方法。
（ｕｕ）  無線ネットワーク内で動作するユーザ装置（ＵＥ）内で実施される方法であって、
前記ＵＥに対して構成された無線ネットワークエリア（ＲＮＡ）に属していないセルに該ＵＥが進入したことを検出することに応答して、無線ネットワークエリア更新（ＲＮＡＵ）を開始することと、
前記ＵＥの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマを前記待機時間値に設定し、周期的ＲＮＡＵタイマをデフォルト値に設定し、前記ＵＥのＲＲＣ層に前記拒否を通知することと、
を含む方法。
（ｖｖ）  無線ネットワーク内で動作するユーザ装置（ＵＥ）内で実施される方法であって、
前記ＵＥに対して構成された無線ネットワークエリア（ＲＮＡ）に属していないセルに該ＵＥが進入したことを検出することに応答して、無線ネットワークエリア更新（ＲＮＡＵ）を開始することと、
前記ＵＥの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、許可されるとすぐにおよび／または特定の条件が満たされるとすぐに前記拒否されたＲＮＡＵが再び試行されるようにするために、前記拒否されたＲＮＡＵを保留通知として追跡することと、
を含む方法。
（ｗｗ）  ユーザデータを提供することと、
前記基地局への前記送信を介して、前記ユーザデータをホストコンピュータに転送することと、
をさらに含む
例示的実施形態（ｓｓ）乃至（ｖｖ）の何れかに記載の方法。
（ｘｘ）  ホストコンピュータと基地局と無線ネットワーク内で動作するユーザ装置（ＵＥ）とを含む通信システム内で実施される方法であって、該方法は、
前記ホストコンピュータにおいて、前記ＵＥから前記基地局に送信されたユーザデータを受信することを含み、前記方法は、前記ＵＥにおいて、
前記ＵＥに対して構成された無線ネットワークエリア（ＲＮＡ）に属していないセルに該ＵＥが進入したことを検出することに応答して、無線ネットワークエリア更新（ＲＮＡＵ）を開始することと、
前記ＵＥの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマおよび周期的ＲＮＡＵタイマの両方を前記待機時間値に設定することと、
前記拒否待機タイマおよび前記周期的ＲＮＡＵタイマが満了すると前記ＲＮＡＵを実行することと、
を含む方法。
（ｙｙ）  ホストコンピュータと基地局と無線ネットワーク内で動作するユーザ装置（ＵＥ）とを含む通信システム内で実施される方法であって、該方法は、
前記ホストコンピュータにおいて、前記ＵＥから前記基地局に送信されたユーザデータを受信することを含み、前記方法は、前記ＵＥにおいて、
前記ＵＥに対して構成された無線ネットワークエリア（ＲＮＡ）に属しておらずかつ前記ＵＥに対して構成されたトラッキングエリアに属していないセルに該ＵＥが進入したことを検出することに応答して、組み合わされた無線ネットワークエリア更新（ＲＮＡＵ）およびトラッキングエリア更新（ＴＡＵ）を開始することと、
前記ＵＥの前記組み合わされたＲＮＡＵおよびＴＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマを前記待機時間値に設定し、周期的ＲＮＡＵタイマを再起動することと、
続いて、前記周期的ＲＮＡＵタイマの満了の前にセル再選択を実行することと、
前記セル再選択に続いて、直ちにＴＡＵを実行することと、
を含む方法。
（ｚｚ）  ホストコンピュータと基地局と無線ネットワーク内で動作するユーザ装置（ＵＥ）とを含む通信システム内で実施される方法であって、該方法は、
前記ホストコンピュータにおいて、前記ＵＥから前記基地局に送信されたユーザデータを受信することを含み、前記方法は、前記ＵＥにおいて、
前記ＵＥに対して構成された無線ネットワークエリア（ＲＮＡ）に属していないセルに該ＵＥが進入したことを検出することに応答して、無線ネットワークエリア更新（ＲＮＡＵ）を開始することと、
前記ＵＥの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、拒否待機タイマを前記待機時間値に設定し、周期的ＲＮＡＵタイマをデフォルト値に設定し、前記ＵＥのＲＲＣ層に前記拒否を通知することと、
を含む方法。
（ａａａ）  ホストコンピュータと基地局と無線ネットワーク内で動作するユーザ装置（ＵＥ）とを含む通信システム内で実施される方法であって、該方法は、
前記ホストコンピュータにおいて、前記ＵＥから前記基地局に送信されたユーザデータを受信することを含み、前記方法は、前記ＵＥにおいて、
前記ＵＥに対して構成された無線ネットワークエリア（ＲＮＡ）に属していないセルに該ＵＥが進入したことを検出することに応答して、無線ネットワークエリア更新（ＲＮＡＵ）を開始することと、
前記ＵＥの前記ＲＮＡＵの実行の試行が拒否されたことを示すメッセージを前記無線ネットワークから受信することであって、前記メッセージは待機時間値が適用可能であることを示すインジケーションを含むかまたは伴う、前記受信することと、
前記メッセージに応答して、許可されるとすぐにおよび／または特定の条件が満たされるとすぐに前記拒否されたＲＮＡＵが再び試行されるようにするために、前記拒否されたＲＮＡＵを保留通知として追跡することと、
を含む方法。
（ｂｂｂ）  前記ＵＥにおいて、前記ユーザデータを前記基地局に提供することをさらに含む
例示的実施形態（ｘｘ）乃至（ａａａ）の何れかに記載の方法。
（ｃｃｃ）  前記ＵＥにおいて、クライアントアプリケーションを実行して、それにより、送信されることになる前記ユーザデータを提供することと、
前記ホストコンピュータにおいて、前記クライアントアプリケーションに関連付けられたホストアプリケーションを実行することと、
をさらに含む
例示的実施形態（ｘｘ）乃至（ａａａ）の何れかに記載の方法。
（ｄｄｄ）  前記ＵＥにおいて、クライアントアプリケーションを実行することと、
前記ＵＥにおいて、前記クライアントアプリケーションへの入力データを受信することであって、該入力データは、前記クライアントアプリケーションに関連付けられたホストアプリケーションを実行することにより前記ホストコンピュータおいて提供される、前記受信することと、
をさらに含み、
送信されることになる前記ユーザデータは、前記入力データに応答して前記クライアントアプリケーションによって提供される
例示的実施形態（ｘｘ）乃至（ａａａ）の何れかに記載の方法。
（ｅｅｅ）  ホストコンピュータを含む通信システムであって、該ホストコンピュータは、無線ネットワーク内で動作するユーザ装置（ＵＥ）から基地局への送信に由来するユーザデータを受信するように構成された通信インタフェースを含み、前記ＵＥの処理回路は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始し、
前記ＵＥの前記ＲＮＡＵの実行の試行が拒否されたことを示すメッセージを前記無線ネットワークから受信し、前記メッセージは待機時間値が適用可能であることを示すインジケーションを含むかまたは伴い、
前記メッセージに応答して、拒否待機タイマおよび周期的ＲＮＡＵタイマの両方を前記待機時間値に設定し、
前記拒否待機タイマおよび前記周期的ＲＮＡＵタイマが満了すると前記ＲＮＡＵを実行する
ように構成される
通信システム。
（ｆｆｆ）  ホストコンピュータを含む通信システムであって、該ホストコンピュータは、無線ネットワーク内で動作するユーザ装置（ＵＥ）から基地局への送信に由来するユーザデータを受信するように構成された通信インタフェースを含み、前記ＵＥの処理回路は、
前記ＵＥに対して構成された無線ネットワークエリア（ＲＮＡ）に属しておらずかつ前記ＵＥに対して構成されたトラッキングエリアに属していないセルに該ＵＥが進入したことを検出することに応答して、組み合わされた無線ネットワークエリア更新（ＲＮＡＵ）およびトラッキングエリア更新（ＴＡＵ）を開始し、
前記ＵＥの前記組み合わされたＲＮＡＵおよびＴＡＵの実行の試行が拒否されたことを示すメッセージを前記無線ネットワークから受信し、前記メッセージは待機時間値が適用可能であることを示すインジケーションを含むかまたは伴い、
前記メッセージに応答して、拒否待機タイマを前記待機時間値に設定し、周期的ＲＮＡＵタイマを再起動し、
続いて、前記周期的ＲＮＡＵタイマの満了の前にセル再選択を実行し、
前記セル再選択に続いて、直ちにＴＡＵを実行する
ように構成される
通信システム。
（ｇｇｇ）  ホストコンピュータを含む通信システムであって、該ホストコンピュータは、無線ネットワーク内で動作するユーザ装置（ＵＥ）から基地局への送信に由来するユーザデータを受信するように構成された通信インタフェースを含み、前記ＵＥの処理回路は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始し、
前記ＵＥの前記ＲＮＡＵの実行の試行が拒否されたことを示すメッセージを前記無線ネットワークから受信し、前記メッセージは待機時間値が適用可能であることを示すインジケーションを含むかまたは伴い、
前記メッセージに応答して、拒否待機タイマを前記待機時間値に設定し、周期的ＲＮＡＵタイマをデフォルト値に設定し、前記ＵＥのＲＲＣ層に前記拒否を通知する
ように構成される
通信システム。
（ｈｈｈ）  ホストコンピュータを含む通信システムであって、該ホストコンピュータは、無線ネットワーク内で動作するユーザ装置（ＵＥ）から基地局への送信に由来するユーザデータを受信するように構成された通信インタフェースを含み、前記ＵＥの処理回路は、
前記ＵＥに対して構成された無線ネットワークエリア（ＲＮＡ）に属していないセルに該ＵＥが進入したことを検出することに応答して、無線ネットワークエリア更新（ＲＮＡＵ）を開始し、
前記ＵＥの前記ＲＮＡＵの実行の試行が拒否されたことを示すメッセージを前記無線ネットワークから受信し、前記メッセージは待機時間値が適用可能であることを示すインジケーションを含むかまたは伴い、
前記メッセージに応答して、許可されるとすぐにおよび／または特定の条件が満たされるとすぐに前記拒否されたＲＮＡＵが再び試行されるようにするために、前記拒否されたＲＮＡＵを保留通知として追跡する
ように構成される
通信システム。
（ｉｉｉ）  前記ＵＥをさらに含む
例示的実施形態（ｅｅｅ）乃至（ｈｈｈ）の何れかに記載の通信システム。
（ｊｊｊ）  前記基地局をさらに含み、該基地局は、前記ＵＥと通信するように構成された無線インタフェースと、前記ＵＥから前記基地局への送信によって搬送された前記ユーザデータを前記ホストコンピュータに転送するように構成された通信インタフェースと、を含む
例示的実施形態（ｅｅｅ）乃至（ｈｈｈ）の何れかに記載の通信システム。
（ｋｋｋ）  前記ホストコンピュータの前記処理回路は、ホストアプリケーションを実行するように構成されており、
前記ＵＥの処理回路は、前記ホストアプリケーションに関連付けられたクライアントアプリケーションを実行するように構成され、それにより、前記ユーザデータを提供する
例示的実施形態（ｅｅｅ）乃至（ｈｈｈ）の何れかに記載の通信システム。
（ｌｌｌ）  前記ホストコンピュータの前記処理回路は、ホストアプリケーションを実行するように構成され、それにより、要求データを提供し、
前記ＵＥの処理回路は、前記ホストアプリケーションに関連付けられたクライアントアプリケーションを実行するように構成され、それにより、前記要求データに応答して前記ユーザデータを提供する
例示的実施形態（ｅｅｅ）乃至（ｈｈｈ）の何れかに記載の通信システム。
【０１２７】
注目すべきことは、開示された本発明の修正および他の実施形態は、前述の説明および関連する図面に示された教示の恩恵を受けている当業者には思い浮かぶであろう。したがって、本発明（複数可）は、開示された特定の実施形態に限定されるべきではなく、修正および他の実施形態が、本開示の範囲内に含まれることが意図されていることが理解されるであろう。特定の用語が本明細書で採用されてもよいが、それらは、一般的かつ記述的な意味でのみ使用され、限定を目的としたものではない。
【図１】
2021522707.tif 000016
【図２Ａ】
2021522707.tif 000017
【図２Ｂ】
2021522707.tif 000018
【図２Ｃ】
2021522707.tif 000019
【図３Ａ】
2021522707.tif 000020
【図３Ｂ】
2021522707.tif 000021
【図４】
2021522707.tif 000022
【図５Ａ】
2021522707.tif 000023
【図５Ｂ】
2021522707.tif 000024
【図６Ａ】
2021522707.tif 000025
【図６Ｂ】
2021522707.tif 000026
【図６Ｃ】
2021522707.tif 000027
【図６Ｄ】
2021522707.tif 000028
【図６Ｅ】
2021522707.tif 000029
【図７】
2021522707.tif 000030
【図８】
2021522707.tif 000031
【図９】
2021522707.tif 000032
【図１０】
2021522707.tif 000033
【図１１】
2021522707.tif 000034
【図１２】
2021522707.tif 000035
【図１３】
2021522707.tif 000036
【図１４】
2021522707.tif 000037
【図１５】
2021522707.tif 000038
【図１６】
2021522707.tif 000039
【図１７】
2021522707.tif 000040
【図１８】
2021522707.tif 000041
【図１９】
2021522707.tif 000042
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
無線ネットワーク内で動作する無線デバイスにおいて、エリア更新報告を処理するための方法であって、該方法は、
前記無線デバイスに対して構成された無線ネットワークエリア（ＲＮＡ）に属していないセルに該無線デバイスが進入したことを検出することに応答して、無線ネットワークエリア更新（ＲＮＡＵ）を開始すること（１５０２）と、
前記無線デバイスの前記ＲＮＡＵの実行の試行が拒否されたことを示すメッセージを前記無線ネットワークから受信すること（１５０４）であって、前記メッセージは待機時間値が適用可能であることを示すインジケーションを含むかまたは伴う、前記受信すること（１５０４）と、
前記メッセージに応答して、拒否待機タイマを前記待機時間値に設定すること（１５０６）と、
前記拒否待機タイマが満了すると前記ＲＮＡＵを実行すること（１５０８）と、
を含む方法。
【請求項２】
前記無線デバイスは、無線リソース接続（ＲＲＣ）インアクティブ状態にあり、
ＲＮＡＵを前記開始すること（１５０２）は、ＲＲＣ接続を再開するための要求を送信することを含む
請求項１に記載の方法。
【請求項３】
前記メッセージは、ＲＲＣＲｅｓｕｍｅＲｅｊｅｃｔメッセージまたはＲＲＣＲｅｌｅａｓｅメッセージを含む
請求項２に記載の方法。
【請求項４】
前記拒否待機タイマは、第三世代パートナーシッププロジェクト（３ＧＰＰ）により指定されたＴ３０２タイマである
請求項１乃至３の何れか１項に記載の方法。
【請求項５】
前記方法は、前記メッセージに応答して、周期的ＲＮＡＵタイマを前記待機時間値に設定することをさらに含み、
前記方法は、前記拒否待機タイマおよび前記周期的ＲＮＡＵタイマが満了すると前記ＲＮＡＵを実行すること（１５０８）を含む
請求項１乃至４の何れか１項に記載の方法。
【請求項６】
前記周期的ＲＮＡＵタイマは、３ＧＰＰにより指定されたＴ３８０タイマである
請求項５に記載の方法。
【請求項７】
前記周期的ＲＮＡＵタイマを前記待機時間値に設定すること（１５０６）は、前記周期的ＲＮＡＵタイマが前記待機時間値に設定されるという前記メッセージ内の指示に応答している
請求項５または６に記載の方法。
【請求項８】
前記拒否待機タイマを実行している間、保留通知として前記ＲＮＡＵを追跡することをさらに含む
請求項１乃至７の何れか１項に記載の方法。
【請求項９】
無線ネットワーク内で動作する無線デバイスにおいて、エリア更新報告を処理するための方法であって、該方法は、
前記無線デバイスに対して構成された無線ネットワークエリア（ＲＮＡ）に属しておらずかつ前記無線デバイスに対して構成されたトラッキングエリアに属していないセルに該無線デバイスが進入したことを検出することに応答して、組み合わされた無線ネットワークエリア更新（ＲＮＡＵ）およびトラッキングエリア更新（ＴＡＵ）を開始すること（１６０２）と、
前記無線デバイスの前記組み合わされたＲＮＡＵおよびＴＡＵの実行の試行が拒否されたことを示すメッセージを前記無線ネットワークから受信すること（１６０４）であって、前記メッセージは待機時間値が適用可能であることを示すインジケーションを含むかまたは伴う、前記受信すること（１６０４）と、
前記メッセージに応答して、拒否待機タイマを前記待機時間値に設定すること（１６０６）と、
続いて、前記拒否待機タイマの満了の前にセル再選択を実行すること（１６０８）と、
前記セル再選択に続いて、直ちにＴＡＵを実行すること（１６１０）と、
を含む方法。
【請求項１０】
前記メッセージに応答して、周期的ＲＮＡＵタイマを再起動することをさらに含み、前記セル再選択は前記周期的ＲＮＡＵタイマの満了の前である
請求項９に記載の方法。
【請求項１１】
前記メッセージの受信に続いて、格納された構成に従って無線アクセスネットワーク（ＲＡＮ）ページングの監視を継続することをさらに含む
請求項１乃至１０の何れか１項に記載の方法。
【請求項１２】
前記メッセージの受信に続いて、コアネットワーク（ＣＮ）ページングのみを監視することをさらに含む
請求項１乃至１０の何れか１項に記載の方法。
【請求項１３】
前記方法は、前記メッセージに関する情報を格納することをさらに含み、該格納された情報は、
受信された拒否メッセージの数を示すインクリメントされたカウンタ値、
前記メッセージを受信したときの前記無線デバイスの位置を示す情報、
のうちの１つ以上を含む
請求項１乃至１２の何れか１項に記載の方法。
【請求項１４】
前記方法は、
所定回数のＲＮＡＵ試行の後にネットワーク拒否が行われたと決定することと、
前記ネットワークへのアクセスが再び許可されると、ネットワークアクセス層（ＮＡＳ）回復を実行することと、
をさらに含む
請求項１乃至１３の何れか１項に記載の方法。
【請求項１５】
前記方法は、
所定回数のＲＮＡＵ試行の後にネットワーク拒否が行われたと決定することと、
前記ネットワークへのアクセスが再び許可されると、周波数間セル再選択またはＲＡＴ間セル再選択を実行し、周期的ＲＮＡＵを試行することと、
をさらに含む
請求項１乃至１３の何れか１項に記載の方法。
【請求項１６】
請求項１乃至１５の何れか１項に記載の方法を実行するのに適合した、無線デバイス。
【国際調査報告】
2021522707.tif 000043
2021522707.tif 000044